(57)【要約】【課題】外部からの表示要求に応じて、コンテンツを取り出し、このコンテンツを表示部にて適切に表示する、画像処理装置を提供する。【解決手段】本発明のコンテンツ表示方法は、画像処理装置の１３９の内蔵アプリケーション１３３にて、リソース識別子を含む表示要求を受信し、画像処理装置１３９のウェブブラウザ１３１へリソース識別子を転送する。リソース識別子によって識別されたリソースへ接続する接続し、リソースからコンテンツを取り出し、ウェブブラウザ１３１を用いて、画像処理装置１３９の表示部１３０に、取り出されたコンテンツを表示させる。【選択図】図１４
2007042098.tif 000002
【特許請求の範囲】
【請求項１】
画像処理装置の表示部にコンテンツを表示させるコンテンツ表示方法であって、
上記画像処理装置の内蔵アプリケーションにて、リソース識別子を含む表示要求を受信するステップと、
上記画像処理装置のブラウザへ上記リソース識別子を転送する転送ステップと、
上記リソース識別子によって識別されたリソースへ接続する接続ステップと、
上記リソースからコンテンツを取り出す取出ステップと、
上記画像処理装置のブラウザを用いて、当該画像処理装置の表示部に、取り出された上記コンテンツを表示させる表示ステップと、
を含んでいることを特徴とするコンテンツ表示方法。
【請求項２】
上記内蔵アプリケーションが、ウェブサービスであることを特徴とする請求項１に記載のコンテンツ表示方法。
【請求項３】
上記リソース識別子が、ＵＲＬ（Uniform Resource Locator）であることを特徴とする請求項１に記載のコンテンツ表示方法。
【請求項４】
上記表示要求が、ウェブサービスメソッドの呼び出しのためのものであることを特徴とする請求項１に記載のコンテンツ表示方法。
【請求項５】
上記表示要求が、表示画面ウェブサービスメソッドの呼び出しのためのものであることを特徴とする請求項１に記載のコンテンツ表示方法。
【請求項６】
上記表示要求が、ＵＲＬを含む表示画面ウェブサービスメソッドの呼び出しのためのものであることを特徴とする請求項１に記載のコンテンツ表示方法。
【請求項７】
上記表示要求を送信する装置、および上記リソースが存在する装置が、上記画像処理装置から離れて配置されていることを特徴とする請求項１に記載のコンテンツ表示方法。
【請求項８】
上記表示要求を送信する装置と上記リソースが存在する装置とが異なることを特徴とする請求項１に記載のコンテンツ表示方法。
【請求項９】
画像処理装置の表示部にコンテンツを表示させるコンテンツ表示方法であって、
画像処理装置から遠隔アプリケーションへ状態通知を送信する送信ステップと、
上記画像処理装置の内蔵アプリケーションにおいて、リソース識別子を含む表示要求を受信する受信ステップと、
上記画像処理装置のブラウザへ上記リソース識別子を転送する転送ステップと、
上記リソース識別子によって識別されたリソースへ接続する接続ステップと、
上記リソースからコンテンツを取り出す取出ステップと、
上記画像処理装置のブラウザを用いて、上記表示部に上記コンテンツを表示する表示ステップと、
を含んでいることを特徴とするコンテンツ表示方法。
【請求項１０】
上記状態通知がエラー通知又は緊急警報であることを特徴とする請求項９に記載のコンテンツ表示方法。
【請求項１１】
画像処理装置の表示部にコンテンツを表示させるコンテンツ表示方法であって、
上記画像処理装置の内蔵アプリケーションにおいて、ブラウザコンテンツを含む表示要求を受信する受信ステップと、
上記画像処理装置のブラウザへ上記ブラウザコンテンツを転送する転送ステップと、
上記画像処理装置のブラウザを用いて、上記表示部に上記コンテンツを表示させる表示ステップと、を含み、
上記転送ステップが、上記ブラウザにて実行中の任意のプロセスに割り込んで行われることを特徴とするコンテンツ表示方法。
【請求項１２】
画像処理装置の表示部にコンテンツを表示させる方法であって、
画像処理装置から遠隔アプリケーションへ画像処理装置の状態通知を送信する送信ステップと、
上記画像処理装置の内蔵アプリケーションにおいて、ブラウザコンテンツを含む表示要求を受信する受信ステップと、
上記画像処理装置のブラウザへ上記ブラウザコンテンツを転送する転送ステップと、
上記画像処理装置のブラウザを用いて、上記表示部に上記ブラウザコンテンツを表示する表示ステップと、
を含んでいることを特徴とするコンテンツ表示方法。
【請求項１３】
画像処理装置にコンテンツを伝送するコンテンツ伝送方法であって、
画像処理装置の内蔵アプリケーションへ、リソース識別子を含む表示要求を送信する送信ステップと、
上記リソース識別子によって識別されたリソースに対する要求を、上記画像処理装置のブラウザから受信する受信する受信ステップと、
上記リソースから上記画像処理装置のブラウザへコンテンツを伝送するコンテンツ伝送ステップと、
を含んでいることを特徴とするコンテンツ伝送方法。
【請求項１４】
画像処理装置にコンテンツを伝送するコンテンツ伝送方法であって、
遠隔アプリケーションにおいて、画像処理装置からの状態通知を受信する状態通知受信ステップと、
上記画像処理装置の内蔵アプリケーションへ、リソース識別子を含む表示要求を送信する表示要求送信ステップと、
上記リソース識別子によって識別されたリソースに対するブラウザ要求を、上記画像処理装置のブラウザから受信するブラウザ要求受信ステップと、
上記リソース識別子によって識別された上記リソースに関連したデータを、上記画像処理装置のブラウザへ送信するリソース関連データ送信ステップと、
を含んでいることを特徴とするコンテンツ伝送方法。
【請求項１５】
内蔵アプリケーションと、ブラウザと、表示部と、を備えた画像処理装置であって、
上記内蔵アプリケーションは、リソース識別子を含む表示要求を、遠隔アプリケーションから受信し、さらに、当該リソース識別子データを上記ブラウザへ転送し、
上記ブラウザは、上記リソース識別子によって識別されたリソースに接続して、上記リソースからコンテンツを取り出し、取り出された上記コンテンツを上記表示部に表示するように、
構成されていることを特徴とする画像処理装置。
【請求項１６】
上記内蔵アプリケーションは、さらに状態通知を上記遠隔アプリケーションに送信するように構成されており、
上記状態通知は、上記表示要求を送信するように上記遠隔アプリケーションに指示するものであることを特徴とする請求項１５に記載の画像処理装置。
【請求項１７】
内蔵アプリケーションと、ブラウザと、表示部と、を含んでいる画像処理装置であって、
上記内蔵アプリケーションは、ブラウザコンテンツを含む表示要求を、遠隔アプリケーションから受信し、当該ブラウザコンテンツを、上記ブラウザへ転送し、
上記ブラウザは、上記表示部に上記ブラウザコンテンツを表示するように、
構成されており、
上記内蔵アプリケーションは、上記転送を、上記ブラウザにて実行中の任意のプロセスに割り込んで行うことを特徴とする画像処理装置。
【請求項１８】
上記内蔵アプリケーションは、さらに状態通知を上記遠隔アプリケーションに送信するように構成されており、
上記状態通知は、上記表示要求を送信するように上記遠隔アプリケーションに指示するものであることを特徴とする請求項１７に記載の画像処理装置。
【請求項１９】
コンテンツを画像処理装置へ送信するための遠隔演算装置であって、
リソース識別子を含む表示要求を、上記画像処理装置の内蔵アプリケーションへ送信するための第１送信部と、
上記リソース識別子によって識別されたリソースに対する要求を、上記画像処理装置のブラウザから受信する第１受信部と、
上記リソースから上記画像処理装置のブラウザへコンテンツを送信する第２送信部と、
を備えたことを特徴とする遠隔演算装置。
【請求項２０】
上記画像処理装置から状態通知を受信するための第２受信部をさらに備えており、
上記状態通知は、上記表示要求を送信するよう上記第１送信部へ指示するものであることを特徴とする請求項１９に記載の遠隔演算装置。
【発明の詳細な説明】
【技術分野】
【０００１】
本発明は、画像処理装置を動作させるための方法および装置、特に、画像処理装置内のクライアントブラウザにコンテンツを伝送するための方法および装置に関するものである。
【背景技術】
【０００２】
プリンタ、コピー機、スキャナ、ファックスなどの画像処理装置は、特定の用途または用途の組み合わせに適合するために、多彩な機能および能力を備えている。画像処理装置は、従来は別々である画像処理装置の、２つ以上の機能を組み合わせた、多機能周辺機器（ＭＦＰ）の形態を取ることが多い。ＭＦＰは、任意の数の画像処理装置を組み合わせていて構わないが、一般的には、プリンタ、画像読取器、コピー機、およびファックスの機能を備えている。
【０００３】
画像処理装置の中には、データ記憶および処理のためのコンピューティングリソース（例えばプロセッサ、ハードディスクドライブ、メモリ、および、他のデバイス）を備えたものがある。画像処理装置にさらに特徴的構成や機能を付加すると、さらに高価に、そしてさらに複雑になる。
【０００４】
さらに複雑な画像処理装置およびＭＦＰとして、例えば、他の演算装置（例えばパーソナルコンピュータ、他の画像処理装置、ネットワークサーバ、および、他の機器）との通信を可能にするネットワーク接続性能を備えたものがある。この接続性能によって、画像処理装置が、接続されたネットワーク上で利用可能な外部リソース（他の演算装置）を使用することが可能になる。
【０００５】
画像処理装置は、一般的に、複数のボタン、つまみ、その他のユーザ入力機構を有するユーザ入力パネルを備えている。また、表示パネルを備えた画像処理装置もある。この表示パネルとしては、表示のためだけに用いられるものもあれば、ユーザがディスプレイ上で直接入力できるタッチパネルディスプレイもある。
【０００６】
タッチパネルディスプレイを備えた装置、またはこのディスプレイと共に配置されたボタンを有する装置は、ユーザ入力によって選択されるメニューデータを表示することができる。このメニューデータは、通常、画像処理装置に搭載されたサーバモジュールによって駆動される。
【０００７】
ここで、例えば、特許文献１には、画像形成装置から取得した利用者情報を用いて決定した広告を画像形成装置に配信し、配信した広告のうち利用者により選択された広告に関するプリント情報を画像形成装置に配信する画像配信方法が記載されている。
【特許文献１】特開２００４−２４０７５２（２００４年８月２６日公開）
【発明の開示】
【発明が解決しようとする課題】
【０００８】
しかしながら、従来の画像処理装置において、外部からの表示要求に応じて、外部からコンテンツを取り出し、このコンテンツを表示部に表示する方法はない。
【０００９】
本発明は上記の問題点に鑑みてなされたものであり、その目的は、外部からの表示要求に応じて、コンテンツを取り出し、このコンテンツを表示部に表示する、コンテンツ表示方法等を提供することにある。
【課題を解決するための手段】
【００１０】
本発明に係るコンテンツ表示方法は、上記課題を解決するために、画像処理装置の表示部にコンテンツを表示させるコンテンツ表示方法であって、上記画像処理装置の内蔵アプリケーションにて、リソース識別子を含む表示要求を受信するステップと、上記画像処理装置のブラウザへ上記リソース識別子を転送する転送ステップと、上記リソース識別子によって識別されたリソースへ接続する接続ステップと、上記リソースからコンテンツを取り出す取出ステップと、上記画像処理装置のブラウザを用いて、当該画像処理装置の表示部に、取り出された上記コンテンツを表示させる表示ステップと、を含んでいることを特徴としている。
【００１１】
上記方法によると、画像処理装置にて、外部からの表示要求に応じて、コンテンツを取り出し、このコンテンツを表示部に表示することができる。そのため、外部から画像処理装置での表示についての要求を行うことができる。
【００１２】
また、画像処理装置のブラウザは他の処理を行っていたとしても、画像処理装置の内蔵アプリケーションからリソース識別子が転送されてくると、リソースへ接続してコンテンツを取り出し、画像処理装置の表示部に表示させることができる。よって、例えば、緊急事態等に外部からその警告等を画像処理装置の表示部に表示させることができる。
【００１３】
なお、本発明のコンテンツ表示方法において、上記内蔵アプリケーションがウェブサービスであってもよい。また、他のソフトウェアであってもかまわない。
【００１４】
また、本発明のコンテンツ表示方法では、リソース識別子は、コンテンツを格納しているリソースを識別できるようなものであればどのようなものであっても構わなく、例えば、上記リソース識別子が、ＵＲＬ（Uniform Resource Locator）であってもよい。
【００１５】
また、本発明の本発明のコンテンツ表示方法では、上記表示要求が、ウェブサービスメソッドの呼び出しのためのものであってもよい。また、上記表示要求が表示画面ウェブサービスメソッドの呼び出しのためのものであってもよい。
【００１６】
また、本発明の本発明のコンテンツ表示方法では、上記表示要求が、ＵＲＬを含む表示画面ウェブサービスメソッドの呼び出しのためのものであってもよい。
【００１７】
また、本発明の本発明のコンテンツ表示方法では、上記表示要求を送信する装置、および上記リソースが存在する装置が、上記画像処理装置から離れて配置されていることを特徴とする請求項１に記載のコンテンツ表示方法。
【００１８】
また、本発明の本発明のコンテンツ表示方法では、上記表示要求を送信する装置と上記リソースが存在する装置とが異なっていてもよい。
【００１９】
本発明に係るコンテンツ表示方法は、上記課題を解決するために、画像処理装置の表示部にコンテンツを表示させるコンテンツ表示方法であって、画像処理装置から遠隔（リモート）アプリケーションへ状態通知を送信する送信ステップと、上記画像処理装置の内蔵アプリケーションにおいて、リソース識別子を含む表示要求を受信する受信ステップと、上記画像処理装置のブラウザへ上記リソース識別子を転送する転送ステップと、上記リソース識別子によって識別されたリソースへ接続する接続ステップと、上記リソースからコンテンツを取り出す取出ステップと、上記画像処理装置のブラウザを用いて、上記表示部に上記コンテンツを表示する表示ステップと、を含んでいることを特徴としている。
【００２０】
上記方法によると、画像処理装置から、遠隔アプリケーションへ状態通知が送信されると、遠隔アプリケーションからの表示要求に応じて、画像処理装置は、コンテンツを取り出し、このコンテンツを表示部に表示することができる。そのため、画像処理装置からの状態通知に応じて、遠隔アプリケーションから画像処理装置での表示についての要求を行うことができる。
【００２１】
また、画像処理装置のブラウザは他の処理を行っていたとしても、画像処理装置の内蔵アプリケーションからリソース識別子が転送されてくると、リソースへ接続してコンテンツを取り出し、画像処理装置の表示部に表示させることができる。よって、例えば、緊急事態等の画像処理装置からの状態通知に応じて遠隔アプリケーションからその警告等を画像処理装置の表示部に表示させることができる。
【００２２】
なお、上記状態通知がエラー通知であってもよい。また、上記状態通知が緊急警報であってもよい。もちろん、上記状態通知は、画像処理装置の状態を示す情報であれば、これら以外であってもかまわない。
【００２３】
本発明に係るコンテンツ表示方法は、上記課題を解決するために、画像処理装置の表示部にコンテンツを表示させるコンテンツ表示方法であって、上記画像処理装置の内蔵アプリケーションにおいて、ブラウザコンテンツを含む表示要求を受信する受信ステップと、上記画像処理装置のブラウザへ上記ブラウザコンテンツを転送する転送ステップと、上記画像処理装置のブラウザを用いて、上記表示部に上記コンテンツを表示させる表示ステップと、を含んでいることを特徴としている。
【００２４】
上記方法によると、画像処理装置にて、外部からの表示要求に応じて、ブラウザコンテンツを表示部に表示することができる。そのため、外部から画像処理装置での表示についての要求を行うことができる。
【００２５】
また、画像処理装置のブラウザは他の処理を行っていたとしても、画像処理装置の内蔵アプリケーションからブラウザコンテンツが転送されてくると、このブラウザコンテンツを画像処理装置の表示部に表示させることができる。
【００２６】
また、本発明に係るコンテンツ表示方法では、上記転送ステップが、上記ブラウザにて実行中の任意のプロセスに割り込んで行われてもよい。
【００２７】
本発明に係るコンテンツ表示方法は、上記課題を解決するために、画像処理装置の表示部にコンテンツを表示させる方法であって、画像処理装置から遠隔アプリケーションへ画像処理装置の状態通知を送信する送信ステップと、上記画像処理装置の内蔵アプリケーションにおいて、ブラウザコンテンツを含む表示要求を受信する受信ステップと、上記画像処理装置のブラウザへ上記ブラウザコンテンツを転送する転送ステップと、上記画像処理装置のブラウザを用いて、上記表示部に上記ブラウザコンテンツを表示する表示ステップと、を含んでいることを特徴としている。
【００２８】
上記方法によると、画像処理装置から遠隔アプリケーションへ画像処理装置の状態通知を送信すると、画像処理装置にて遠隔アプリケーションからの表示要求に応じて、コンテンツを表示部に表示することができる。そのため、画像処理装置から状態通知を受信した遠隔アプリケーションから画像処理装置での表示についての要求を行うことができる。
【００２９】
また、画像処理装置のブラウザは他の処理を行っていたとしても、画像処理装置の内蔵アプリケーションからブラウザコンテンツが転送されてくると、画像処理装置の表示部に表示させることができる。よって、例えば、緊急事態等に、画像処理装置から遠隔アプリケーションに状態通知を送信すると、遠隔アプリケーションからの要求に基づきその警告等を画像処理装置の表示部に表示させることができる。
【００３０】
本発明に係るコンテンツ伝送方法は、上記課題を解決するために、画像処理装置にコンテンツを伝送するコンテンツ伝送方法であって、画像処理装置の内蔵アプリケーションへ、リソース識別子を含む表示要求を送信する送信ステップと、上記リソース識別子によって識別されたリソースに対する要求を、上記画像処理装置のブラウザから受信する受信する受信ステップと、上記リソースから上記画像処理装置のブラウザへコンテンツを伝送するコンテンツ伝送ステップと、を含んでいることを特徴としている。
【００３１】
上記方法によると、画像処理装置の内蔵アプリケーションへ、リソース識別子を含む表示要求を送信し、リソース識別子によって識別されたリソースに対する要求を、画像処理装置のブラウザから受信し、リソースから上記画像処理装置のブラウザへコンテンツを伝送する。よって、画像処理装置の表示部に何らかのコンテンツの表示を行いたい場合、画像処理装置が現在行っている表示に、割り込ませて表示させることができる。
【００３２】
本発明に係るコンテンツ伝送方法は、上記課題を解決するために、画像処理装置にコンテンツを伝送するコンテンツ伝送方法であって、遠隔アプリケーションにおいて、画像処理装置からの状態通知を受信する状態通知受信ステップと、上記画像処理装置の内蔵アプリケーションへ、リソース識別子を含む表示要求を送信する表示要求送信ステップと、上記リソース識別子によって識別されたリソースに対するブラウザ要求を、上記画像処理装置のブラウザから受信するブラウザ要求受信ステップと、上記リソース識別子によって識別された上記リソースに関連したデータを、上記画像処理装置のブラウザへ送信するリソース関連データ送信ステップと、を含んでいることを特徴とするコンテンツ伝送方法。
【００３３】
上記方法によると、遠隔アプリケーションにおいて、画像処理装置から画像処理装置の状態を示す情報である状態通知を受信する。そして、画像処理装置の内蔵アプリケーションへ、リソース識別子を含む表示要求を送信する。さらに、リソース識別子によって識別されたリソースに対するブラウザ要求を、画像処理装置のブラウザから受信し、リソースから上記画像処理装置のブラウザへコンテンツを伝送する。よって、画像処理装置から状態通知を受信し、画像処理装置の表示部に何らかのコンテンツの表示を行いたい場合、画像処理装置が現在行っている表示に、割り込ませて表示させることができる。
【００３４】
本発明に係る画像処理装置は、上記課題を解決するために、内蔵アプリケーションと、ブラウザと、表示部と、を備えた画像処理装置であって、上記内蔵アプリケーションは、リソース識別子を含む表示要求を、遠隔アプリケーションから受信し、さらに、当該リソース識別子データを上記ブラウザへ転送し、上記ブラウザは、上記リソース識別子によって識別されたリソースに接続して、上記リソースからコンテンツを取り出し、取り出された上記コンテンツを上記表示部に表示するように、構成されていることを特徴としている。
【００３５】
上記構成によると、外部からの表示要求に応じて、コンテンツを取り出し、このコンテンツを表示部に表示することができる。そのため、外部からの表示の要求を受けることができる。
【００３６】
また、画像処理装置のブラウザは他の処理を行っていたとしても、画像処理装置の内蔵アプリケーションからリソース識別子が転送されてくると、リソースへ接続してコンテンツを取り出し、画像処理装置の表示部に表示させることができる。
【００３７】
また、本発明に係る画像処理装置では、上記構成に加え、上記内蔵アプリケーションは、さらに状態通知を上記遠隔アプリケーションに送信するように構成されており、上記状態通知は、上記表示要求を送信するように上記遠隔アプリケーションに指示するものであってもよい。
【００３８】
上記構成によると、表示要求を送信するように上記遠隔アプリケーションに指示するための、画像処理装置の状態の情報である状態通知を遠隔アプリケーションに送信することができる。
【００３９】
また、本発明に係る画像処理装置は、上記課題を解決するために、内蔵アプリケーションと、ブラウザと、表示部と、を含んでいる画像処理装置であって、上記内蔵アプリケーションは、ブラウザコンテンツを含む表示要求を、遠隔アプリケーションから受信し、当該ブラウザコンテンツを、上記ブラウザへ転送し、上記ブラウザは、上記表示部に上記ブラウザコンテンツを表示するように、構成されていることを特徴としている。
【００４０】
上記構成によると、遠隔アプリケーションからのブラウザコンテンツを含む表示要求を受けると、ブラウザコンテンツを表示部に表示することができる。そのため、遠隔アプリケーションからの表示についての要求受けることができる。
【００４１】
また、画像処理装置のブラウザは他の処理を行っていたとしても、画像処理装置の内蔵アプリケーションからラウザコンテンツが転送されてくると、このラウザコンテンツ画像処理装置の表示部に表示させることができる。
【００４２】
また、本発明に係る画像処理装置は、上記構成に加え、上記内蔵アプリケーションは、さらに状態通知を上記遠隔アプリケーションに送信するように構成されており、上記状態通知は、上記表示要求を送信するように上記遠隔アプリケーションに指示するものであってもよい。
【００４３】
上記構成によると、表示要求を送信するように上記遠隔アプリケーションに指示するための、画像処理装置の状態の情報である状態通知を遠隔アプリケーションに送信することができる。
【００４４】
本発明に係る遠隔演算装置（リモート演算装置）は、上記課題を解決するために、コンテンツを請求項画像処理装置へ送信するための遠隔演算装置であって、リソース識別子を含む表示要求を、上記画像処理装置の内蔵アプリケーションへ送信するための第１の送信部と、上記リソース識別子によって識別されたリソースに対する要求を、上記画像処理装置のブラウザから受信する第１受信部と、上記リソースから上記画像処理装置のブラウザへコンテンツを送信する第２送信部と、を備えたことを特徴としている。
【００４５】
上記構成によると、遠隔演算装置は、リソース識別子を含む表示要求を、画像処理装置の内蔵アプリケーションへ送信することができる。また、リソース識別子によって識別されたリソースに対する要求を、画像処理装置のブラウザから受信し、リソースから画像処理装置のブラウザへコンテンツを送信することができる。
【００４６】
また、本発明に係る遠隔演算装置は、上記構成に加え、上記画像処理装置から状態通知を受信するための第２受信部をさらに備えており、上記状態通知は、上記表示要求を送信するよう上記第１の送信部へ指示するものであってもよい。
【００４７】
上記構成によると、遠隔演算装置は、画像処理装置から画像処理装置の状態の情報である状態通知を受信すると、表示要求を画像処理装置に送信することができる。
【００４８】
なお、本発明は、画像処理装置（ＩＤｅｖ）内のクライアントブラウザにコンテンツを送信するための方法および装置を含んでいる。形態によっては、これは、内蔵ソフトウェアといった存在を用いて達成される。また、形態によっては、この機能は、ウェブページのＵＲＬをＩＤｅｖクライアントブラウザへ送信して、このＩＤｅｖクライアントブラウザが上記ＵＲＬへアクセスしてウェブページを取り出すことによって可能となる。
【発明の効果】
【００４９】
本発明に係るコンテンツ表示方法は、以上のように、画像処理装置の内蔵アプリケーションにて、リソース識別子を含む表示要求を受信するステップと、上記画像処理装置のブラウザへ上記リソース識別子を転送する転送ステップと、上記リソース識別子によって識別されたリソースへ接続する接続ステップと、上記リソースからコンテンツを取り出す取出ステップと、上記画像処理装置のブラウザを用いて、当該画像処理装置の表示部に、取り出された上記コンテンツを表示させる表示ステップと、を含んでいる。
【００５０】
上記方法によると、画像処理装置にて、外部からの表示要求に応じて、コンテンツを取り出し、このコンテンツを表示部に表示することができる。そのため、外部から画像処理装置での表示についての要求を行うことができる。
【００５１】
また、画像処理装置のブラウザは他の処理を行っていたとしても、画像処理装置の内蔵アプリケーションからリソース識別子が転送されてくると、リソースへ接続してコンテンツを取り出し、画像処理装置の表示部に表示させることができる。よって、例えば、緊急事態等に外部からその警告等を画像処理装置の表示部に表示させることができる。
【発明を実施するための最良の形態】
【００５２】
本発明の一実施形態について、図を参照しながら説明する。なお、全ての図中において、同様の部材には同じ符号を付与している。また、これらの各図は、詳細な説明の一部として明確に組み入れられるものである。
【００５３】
本発明の構成要素を、ここに示されている図においては一般化して描き、説明しているが、多種多様な形態に変更および設計できることができる。したがって、本発明の方法およびシステムの実施形態に関する以下の詳細な説明は、本発明の範囲を限定するものではなく、単に、本発明の現時点での好ましい実施形態の一例を示すものに過ぎない。
【００５４】
本発明の実施形態の構成要素を、ハードウェア、ファームウェアおよび／またはソフトウェアに組み込んでもよい。本明細書中に記載されている典型的な実施形態は、これらの形態のほんの一例を説明しているが、当業者であれば、本発明の範囲内において、これらの構成要素をこれらのあらゆる形態において実施できることを理解できるであろう。
【００５５】
本発明の実施形態は、画像処理装置を遠隔演算装置（リモート演算装置）のアプリケーションと統合するインターフェースならびに構成（アーキテクチャ）、および、画像処理装置単体では不可能なソリューションを提供する環境を含んでいる。また、ネットワーク上のアプリケーションが、画像処理装置の機能をプログラム制御でき、かつ画像処理装置の入力パネルを介してユーザと交信できる基本設備（インフランストラクチャ）およびインターフェースを含んでいてもよい。画像処理装置内で実用的でないソフトウェア機能は、画像処理装置からアクセス可能なサーバ上で実行することができる。
【００５６】
本明細書および特許請求の範囲では、画像処理装置（ＩＤｅｖ）を、画像処理機能を有する装置として説明する。ここでいう画像処理機能には、例えば、画像読取、印刷、コピー、画像伝送（送信および受信）、画像変換などの機能が含まれる。典型的な画像処理装置としては、プリンタ、コピー機、ファックス、画像読取器、画像を伝送，変換，または加工する演算装置等がある。また、画像処理装置（ＩＤｅｖ）は、複数の画像処理機能を有するものであってよい。例えば、これに限定されるものではないが、一般的には、プリンタ、画像読取器、コピー機および／またはファックス、または画像送信機／受信機のうちの複数の機能がある多機能周辺機器（ＭＦＰ）は、画像処理装置の１タイプである。なお、ＭＦＰとしての他の画像処理装置は、上記以外の機能の組み合わせを備えたものであってよい。
【００５７】
本明細書および特許請求の範囲では、遠隔演算装置（ＲＣＤ）を、データ処理ができ、かつ通信リンクを介して他の装置と通信できる能力を有する装置である。遠隔演算装置（ＲＣＤ）は、画像処理装置などの他の装置と通信するために、例えばネットワーク、電話線、シリアルケーブル、または他の有線回線あるいは無線回線のような通信回線を備える必要があるリモート装置である。典型的な遠隔演算装置（ＲＣＤ）としては、通信リンクを備えたネットワークサーバ、ネットワークコンピュータ、その他の処理装置、および、その他の記憶装置などが挙げられる。
【００５８】
本発明のいくつかの実施形態を、図１および図２を参照して説明する。これらの実施形態は、画像処理装置（ＩＤｅｖ）４を備えている。この画像処理装置４は、多機能周辺機器（ＭＦＰ）であってもよく単機能装置であってもよい。画像処理装置４は、ユーザインターフェース（ＵＩ）パネル２をさらに備えている。ユーザインターフェースパネル２は、入力ボタン１４および表示装置１６を備えている。あるいは、ユーザインターフェースパネル２は、タッチパネルシステムを備えていてもよい。タッチパネルシステムは、ボタン１４を備えていてもいなくてもよい。また、ユーザ入力および表示は、別個のＵＩ装置８を介して実行されるものであってよい。このＵＩ装置８は、例えばＵＳＢ、ネットワークケーブル、無線などの通信回線１２によって、画像処理装置４と接続されている。ＵＩ装置８は、表示装置だけでなく、キーボードまたはボタンのような入力装置を備えていてよい。また、ＵＩ装置８に備えられる表示装置は、タッチスクリーンパネルであってもよい。このような種類のＵＩ装置８は、リモート入力装置からＵＩ装置８へと入力された命令を伝送するためのインターフェースをさらに備えていてもよい。また、ＵＩ装置８は、画像処理装置４へ伝送するための入力データを記憶するために構成されている記憶装置（例えば、メモリスティック、ＵＳＢメモリカードなど）を備えていてよい。
【００５９】
これらの実施形態は、ネットワーク１０などの通信回線を介して画像処理装置４とリンクされている遠隔演算装置（ＲＣＤ）６をさらに備えている。このネットワーク１０は、一般的な有線回線または無線回線であってよい。
【００６０】
本発明の実施形態では、遠隔演算装置６から、ネットワーク１０を介して、画像処理装置４のＵＩパネル２またはＵＩ装置８へとメニューデータを提供してもよい。このメニューデータが画像処理装置４へ送られると、画像処理装置４のＵＩパネル２あるいはＵＩ装置８を使用して、遠隔演算装置６上において動作するアプリケーションと情報交換することができる。ＵＩパネル２あるいはＵＩ装置８が受け付けたユーザ入力を、遠隔演算装置６へ直接戻してもよい。
【００６１】
ウェブサービスは、ＵＲＩ（Uniform Resource Identifier）によって識別されたソフトウェアアプリケーションである。ＵＲＩのインターフェースおよびバインディング（binding）は、ＸＭＬ（Extensible Markup Language）のアーティファクトによって定義、記述、発見される機能を持ち、また、ＸＭＬベースのメッセージを用いて、インターネットベースのプロトコルを介して、他のソフトウェアアプリケーションと直接情報交換することをサポートする。
【００６２】
遠隔演算装置６上のアプリケーションは、１以上のウェブサービスを用いて画像処理装置４の様々な機能（使用可能にする機能、使用不可にする機能、装置の有用性を設定する機能、装置機能を制御する機能など）を制御することができる。
【００６３】
本発明の実施形態では、遠隔演算装置６上で動作するネットワークアプリケーションは、画像処理装置４のＩ／Ｏパネル（ＵＩパネル２）を介して、その画像処理装置４のユーザと情報交換できる。上記の実施形態では、画像処理装置４のユーザインターフェース（ＵＩ）（すなわち、タッチパネル、ボタン、または、ディスプレイ）をネットワークアプリケーションによって制御できる。また、カスタム表示画面またはカスタム表示メニューを、画像処理装置４に固有のユーザインターフェースと統合する形態もある。上記の実施形態では、画像処理装置４の機能の制御を、画像処理装置４のユーザインターフェースに対するユーザ入力に応じて画像処理装置４において実行する標準操作モードと、遠隔演算装置６上のアプリケーションなどのネットワークリソースを、画像処理装置４のユーザインターフェースにおけるユーザ入力を介して実行するオープンシステムモードとを切り替える（hand off）ことができる。
【００６４】
上記の実施形態では、テキストおよび図形を任意のフォーマットで表示するように、ネットワーク上で動作するアプリケーションが画像処理装置４のＵＩを完全に制御するようになっている。上記の実施形態では、上記アプリケーションは、所望のレイアウトで、ボタン、テキストボックス、および図形などをプログラム表示することができる。
【００６５】
上記ユーザインターフェースの配置を、マークアップ言語などの標準言語を用いて容易にプログラムすることができてもよい。これらの言語としては、ハイパーテキストマークアップ言語（Hypertext Markup Language：ＨＴＭＬ）、エクステンシブルマークアップ言語（Extensible Markup Language：ＸＭＬ）、ワイヤレスマークアップ言語（Wireless Markup Language：ＷＭＬ）、エクステンシブルハイパーテキストマークアップ言語（Extensible Hypertext Markup Language：ＸＨＴＭＬ）等を用いることができる。
【００６６】
遠隔演算装置６のアプリケーションまたはサーバのアプリケーションが、キーボードＵＩを画像処理装置４のＵＩパネル２およびＵＩ装置８に表示させるように要求することができてもよい。また、この機能が、画像処理装置４において用いられることができ、遠隔演算装置６のアプリケーションによって再形成される必要がなくてもよい。また、上記遠隔演算装置６が、キーボードプロンプトやデフォルト値を定義するようにしてもよい。これらの実施形態では、遠隔演算装置６は、ＯＫボタン、キャンセルボタンのような、画像処理装置４のユーザインターフェースにおける各ボタンの名称を変更でき、他のボタンを定義できる。
【００６７】
また、画像処理装置４自体が、あるいは遠隔演算装置６が、画像処理装置４のユーザインターフェースにメニューテンプレートを供給するようにしてもよい。
【００６８】
（外部認証アプリケーション）
本発明の実施形態の中には、外部認証サーバとして登録されている遠隔演算装置６のアプリケーションを含んだものもある。この外部認証アプリケーションは、画像処理装置４へのアクセスを制御し、また画像処理装置４のユーザインターフェースを最上位で制御（top-level control）する。上記アプリケーションによるユーザインターフェースの制御は、内部制御部（internal auditor）による制御と同様の方法であってもよい。
【００６９】
上記の実施形態において、画像処理装置４の制御部は、起動時に、外部認証アプリケーションが登録されているかどうかを確認する。登録されている場合、画像処理装置４は使用不可モードになり、上記アプリケーションは上記ユーザインターフェースを制御するために接続される。上記外部認証サーバを利用できない場合は、エラーメッセージが表示されて、画像処理装置４は使用不可のままである。この場合、画像処理装置４は、利用可能になるまで、上記外部認証サーバに定期的接続しようとする。下記の表１は、典型的な実施形態において、上記画像処理装置４が使用不可モードにある場合、何が上記ユーザインターフェースを制御するのかを表している。
【００７０】
【表１】
2007042098.tif 000003
【００７１】
（遠隔演算装置アプリケーション）
本発明の実施形態では、画像処理装置４のカスタムＵＩパネル２に対するアクセス方法は、アプリケーションによって異なっていてもよい。文書管理統合（Document Management integration）などのソリューションには、固有の画像送信画面を用いることが好ましいものもあるが、画像読取ジョブに関する付加的な情報を集約したＵＩパネルを表示すものもある。カスタム印刷アプリケーションのような他のソリューションに、固有の機能以外の個々のモードからアクセスしてもよい。
【００７２】
これらソリューションアプリケーションの多様化するニーズに対応するため、上記の実施形態では、ユーザインターフェース制御に対する複数の統合ポイントをサポートしている。これらの統合ポイントは、ユーザによるアプリケーションを登録するための操作（「トリガー」）に基づいている。実施形態の中には、「遠隔演算装置Ｂ」に対する接続命令がＵＩパネル２になされて「トリガーＡ」がいつ生じるのかを画像処理装置４において把握するために、アプリケーションがターゲット装置（画像処理装置４）に登録される。典型的な実施形態において、アプリケーションは、複数の「トリガー」ポイントにおいて画像処理装置４と一体化されている。
【００７３】
遠隔演算装置６は特定の機能に登録されており、画像処理装置４のユーザインターフェースにおいて上記機能（例えば画像送信）のハードウェアキーが押されたときに接続される。上記遠隔演算装置６によって供給されるユーザインターフェース情報は、画像処理装置４にもともと備えられている標準機能画面に代えて表示される。このトリガーは、既存の機能を完全なカスタムＵＩの機能に置き換えるアプリケーションに対しても使用できる。このようなアプリケーションとしては、例えば、選択画像読取ソリューション（alternative scan solution）や特殊ディスプレイなどがある。特殊ディスプレイとは、例えば、「セクション５０８」対応画面、または他の特殊なニーズに対応したインターフェースである。これら特殊ディスプレイは、大きなボタンまたは他の設備（accommodations）を備えていてもよい。
【００７４】
また、画像処理装置４における各機能のメニューを、タッチスクリーン上に表示してもよい形態もある。また、このメニューは、サーバなどの遠隔演算装置６が登録するようにしてもよい。これによって、ソリューションアプリケーションが、カスタムコンテンツを供給し、かつ、画像処理装置４によって設けられた標準機能の一部を引き続き利用することが可能になる。カスタムアプリケーションに割り当てられたボタンが選択されると、その機能に登録されたソリューションと共にメニューが表示される。ユーザは所望のソリューションを選択することができ、遠隔演算装置６は、命令を受けるために接続される。
【００７５】
遠隔演算装置６のアプリケーションを供給する独立型のＲＣＤモードが、全画面上に表示される上記ユーザインターフェースのジョブキュー部分からアクセスすることができる形態もある。このトリガーポイントは、例えば画像処理装置４におけるカスタム印刷ソリューションのような、画像処理装置４の標準装置機能の一つに含まれないアプリケーションに使用できる。上記ＲＣＤメニューが選択されると、一般ＲＣＤモードに登録されているソリューションアプリケーションと共にメニューが表示される。ユーザは所望のソリューションを選択し、上記遠隔演算装置６は、命令を受けるために接続される。
【００７６】
（ハードウェアキーの相互作用）
本発明の実施形態の中には、画像処理装置４が使用可能であると、この装置を管理するために追加ハードウェアキーが使用されるものもある。典型的な実施形態におけるハードウェアキーの割り当てを表２に示す。
【００７７】
【表２】
2007042098.tif 000004
【００７８】
なお、＊キーの押し下しによるログアウトに加えて、タイムアウトによるログアウトを実行するようにしてもよい。また、所定時間（例えば１０秒〜２４０秒）が経過したときに自動的に消去する設定（あるいは使用不可にする設定）にしてもよい。これらの実施形態では、自動消去設定の時間内に何の動作もなかった場合、装置は自動的に使用不可モードに戻り、ユーザインターフェースを再制御するために遠隔演算装置６に接続を試みる。
【００７９】
（エラー＆ジャム通知）
特定のソリューションに応じて、遠隔演算装置アプリケーション（ＲＣＵアプリケーション）は、画像処理装置４のユーザインターフェースおよび特定の画像処理ジョブ（imaging job）を完全に、あるいは部分的に制御してもよい。部分的制御の場合、遠隔演算装置６がクリックをモニタリングしながら、固有モード（native mode）においてユーザインターフェースの情報交換に応答できるようにし、ジョブを制御していてもよい。また、部分的制御として、遠隔演算装置アプリケーションが固有モードと一体化される構成としてもよい（ユーザインターフェーストリガー＝機能カスタムメニュー）。画像処理装置４が、関連する遠隔演算装置アプリケーションに全てのエラーおよびジャム通知を送信するようにしてもよい。
【００８０】
遠隔演算装置アプリケーションが画像処理装置４のユーザインターフェースおよびジョブを完全に制御するケースでは、エラーおよびジャム通知を、エラーの種類に応じて異なる方法で処理するようにしてもよい形態もある。修復可能なエラーの場合は、遠隔演算装置アプリケーションに通知が送信され、該アプリケーションは、ＵＩパネル２またはＵＩ装置８におけるメッセージの表示および通知されたエラーを解決する処理を行う。また、修復不可能なエラーの場合、画像処理装置モードとＲＣＤモードとが情報交換して、エラー状態を適切に処理する（例えば、ユーザに、ジャムを消去するという命令を与える）。
【００８１】
（ハンドオフ制御（Control Handoffs））
画像処理ジョブ中の様々な時点において、複数のアプリケーションによって画像処理装置を制御するようにしてもよい。これらのアプリケーションとしては、特に限定されるものではないが、例えば外部認証アプリケーション、標準的なＲＣＤアプリケーション、画像処理装置４の固有モードなどが含まれる。以下の説明では、典型的な実施形態における、典型的なジョブの様々な工程について、各工程中における制御を行う主体、およびどの様な種類の制御が可能であるかについて説明する。
【００８２】
工程１：ユーザが、画像処理装置のユーザインターフェースにおいて、画像処理装置にアクセスするための証明データを提示する。この工程は、外部認証アプリケーションなどの遠隔演算装置６、または画像処理装置４自体に内蔵される内部課金（Internal Accounting）（固有モード）によって制御される。この工程の最後に、画像処理装置は使用可能になる。上記の外部認証アプリケーションはまた、デフォルトパラメータを指定してもよく、あるいは特定のジョブパラメータを使用不可にしてもよい（例えば、デフォルトファイル形式はＰＤＦだが、ユーザがこれを変更できるようにしてもよい。また、カラーモードは白黒に設定されていて、ユーザがこれを変更できないようにしてもよい。）。
【００８３】
工程２：ユーザが、上記画像処理装置の固有モード農地の１つまたは標準的なＲＣＤのアプリケーションを使用して、ジョブパラメータを設定する。この工程の最後に、ユーザはジョブを開始するための入力を行う。この入力がなされると、任意の通知が上記の標準的なＲＣＤアプリケーションへ送信される。次に、この標準的なＲＣＤアプリケーションが、必要に応じてジョブパラメータを変更する。ユーザが入力を行ったときに通知を要求するアプリケーションの一例として、電子メールのアプリケーションが挙げられる。ユーザは、固有の画像送信画面または他の入力手段を使用して、画像読取オプションを選択し、電子メールの受信者を選択する。次に、ユーザは、カスタムアプリケーションボタンを選択して、メニューから、画像読取・電子メール送信（scan-to-e-mail）オプションを選択する。次に、ユーザのファイルについての許可設定を行うために、電子メールアプリケーションがカスタム画面を表示する。ユーザが原稿を画像読取器上に置いて処理を開始すると、電子メールアプリケーションは、ユーザによって設定された宛先パラメータを取り込み、上記の対象の宛先を、電子メールアプリケーションのＦＴＰサーバに変更する。次に、電子メールアプリケーションは、上記ファイルを受信し、適切な許可を与え、ユーザによって選択された電子メールを受信者へ送信する。なお、いくつかの実施形態と同様に、上記アプリケーションが、読み取った画像のサムネイルを作成して表示させてユーザに確認させる場合、この時点で、遠隔演算装置のアプリケーションは、ユーザインターフェースの再制御を要求してもよい。
【００８４】
工程３：上記ジョブが開始されると、画像処理装置は、このジョブの画像読取またはＲＩＰｉｎｇを実行して、それをＨＤＤにスプールする。画像処理装置が、外部認証アプリケーションを用いてジョブを認証するように構成されている場合は、上記アプリケーションへクリックレポートを送信して命令を待つ。上記外部認証アプリケーションは、ジョブの送信／印刷、キャンセル、またはジョブパラメータの変更をする（ジョブパラメータを変更して使用可能にする）ことができる。例えば、ルールベース印刷アプリケーションは、クリックレポートを受信後、ジョブパラメータの変更を求める。ルールベース印刷アプリケーションには、時刻、宛先、その他の多くのパラメータに基づいて、各ユーザが実行できる行為を制限する、ルールベース印刷およびルールベース画像読取をサポートしているものもある。例えば、マーケティンググループ内のユーザのみが高品質のカラー画像を画像読取することができるように設定できる。例えば、別グループのユーザがカラー，６００ｄｐｉを選択すると、ルールベースアプリケーションは、パラメータをカラー，２００ｄｐｉに変更する。この工程の最後において、上記ジョブは許可されるか、あるいはキャンセルされる。
【００８５】
工程４：工程２の上記の標準的なＲＣＤアプリケーションが、一時的な保存先としてＨＤＤに宛先を指定した場合は、この工程は省略してもよい形態もある。また、この工程は、実施形態によっては、画像処理装置４上で動作するＪａｖａ（登録商標）アプリケーションによって実行されるものであってもよい。例えば、政府機関は、画像処理装置４上で動作するカスタム暗号化アプリケーションを有することがある。このカスタム暗号化アプリケーションは、画像読取された文書を取り込み、それを暗号化し、その後、工程２においてユーザが選択した対象の宛先へと、この文書を送信するよう画像処理装置４に要求する。なお、この工程の後および送信／印刷工程後に、外部認証アプリケーションへ通知を送ると有益である形態もある。この工程の後が有益であるのは、上記画像処理装置が、上記ファイルがどれほどの時間ハードディスクに記憶されるのか、あるいは、上記アプリケーションがそれを用いて何を行うのか、を認識していないからである。
【００８６】
工程５：最終工程において、上記ファイルが実際に出力される。典型的な実施形態では、上記ファイルは、ネットワーク上で送信されるか、あるいは端末において印刷される。この工程の最後に、ジョブが正常に終了したという通知が、上記外部認証アプリケーションへ送信される。なお、上記標準的なＲＣＤアプリケーションへも送信されるようにしてもよい。
【００８７】
（装置制御および管理ＡＰＩ）
ＡＰＩによって、遠隔演算装置アプリケーションが、販売アプリケーション（vend applications）を実行する画像処理装置へのアクセスを制御し、遠隔位置から該画像処理装置４を管理するようにできる。
【００８８】
（装置制御および販売ＡＰＩ（Device Control and Vend API））
本発明の実施形態では、装置制御および販売ＡＰＩによって、アプリケーションが、画像処理装置４へのアクセスを可能または不可能にし、かつクリック数を追跡記録するようにできるものもある。装置制御および販売ＡＰＩは、遠隔演算装置６に以下に示す制御を行わせる。
【００８９】
画像処理装置４の機能を使用可能／使用不可能にする：これにより、遠隔演算装置６が、画像処理装置４全体へのアクセス、または画像処理装置４の特定の機能へのアクセスを可能または不可能にして、個々のユーザの権利を行使させることができる。典型的な実施形態としては、例えば表３に記載の機能を、アプリケーションによって任意に使用可能または使用不可能にするものもある。
【００９０】
【表３】
2007042098.tif 000005
【００９１】
使用されたクリックをレポートする：正常なジョブの最後に、使用されたクリックが遠隔演算装置ＲＣＤに戻ってレポートされる。
【００９２】
【表４】
2007042098.tif 000006
【００９３】
デビットモード（Debit Mode）：これらの実施形態において、アプリケーションは画像処理装置４を使用可能にする際、現在のジョブが認証を要するか否かを指定する。この場合、上記ジョブはメモリにスプールされ、クリック情報（例えば表４において定義された情報）が遠隔演算装置６へ送信される。上記ジョブを削除すべきか、あるいは出力／送信するべきかを、遠隔演算装置６は画像処理装置４に通知する。この時、上記アプリケーションは、ジョブパラメータを変更するか否か選択することができる。上記アプリケーションが認証を要求しない場合、上記ジョブは通常通りに続行され、このジョブの最後にクリックレポートが送信される。
【００９４】
印刷ジョブの課金：これらの実施形態において、遠隔演算装置６は、ウォークアップ機能（walk-up function）および印刷ジョブの監視を実行する。印刷ジョブの課金にあたり、画像処理装置４は、送信されてくる全ての印刷ジョブを監視し、またジョブを印刷する前にＰＪＬヘッダー中の課金データを照合のために遠隔演算装置６へ送る。遠隔演算装置６は、この課金データ（またはその不足）を検証して、ジョブを続行すべきかあるいはキャンセルすべきかを示す情報を画像処理装置４に与える。
【００９５】
未確認ジョブに関するレポート：これらの実施形態において、遠隔演算装置ＲＣＤは、例えば装置レポートや送信されてくるファックスジョブなど、遠隔演算装置ＲＣＤが特定のユーザと関連付けできない印刷ジョブの監視を要求する。遠隔演算装置ＲＣＤは、全ての未確認ジョブのクリック数を受信するための登録をして、これらのジョブを一般アカウント（general account）に請求することができる。
【００９６】
（装置管理ＡＰＩ）
本発明の実施形態では、装置管理ＡＰＩによって、ネットワークアプリケーションが、画像処理装置を遠隔設定および管理できるようにしてもよいものもある。典型的な実施形態では、上記装置管理ＡＰＩは、遠隔演算装置６に以下の制御を行わせることができる。
・装置状態−遠隔演算装置６は、画像処理装置４の現在の状態を要求する。これは、埋め込み型ウェブページ（embedded web pages）にレポートされる状態情報と同じである。
・装置構成−遠隔演算装置６は、画像処理装置４によってサポートされている、インストールされているオプションの一覧を検索する。
・ウェブページ設定−遠隔演算装置６は、埋め込み型ウェブページ上で構成可能な任意の値を検索および設定する。
・キー操作プログラム−遠隔演算装置６は、ソフトウェアキーを含むキー操作プログラムにおいて構成可能な任意の値を検索および設定する。
・カスタム設定−遠隔演算装置６は、カスタム設定において構成可能な任意の値を検索および設定する。
・ジョブ状態−ジョブ状態遠隔演算装置ＲＣＤは、現在のジョブキューおよび履歴情報を検索して、そのキューのジョブの優先順位を変更する、あるいは該ジョブを削除する。
・クリック数―遠隔演算装置６は、画像処理装置４におけるクリック数の総数、およびアカウントコードによる各機能のクリック数を検索する。
・データのセキュリティー設定−遠隔演算装置６は、ＤＳＫ上の状態情報（例えば最終削除）を検索して、データ消去機能を開始する。
・レッドデータ（RED DATA）−遠隔演算装置６は、レッドメッセージ（RED message）等で通常送信される全てのデータを検索する。
・遠隔リブート―遠隔演算装置６は、画像処理装置４のリブートを開始する。
【００９７】
上記の分類は、どの設定が含まれるべきかを詳述する典型的な実施形態として記載されているにすぎない。実施形態によっては、実際のＡＰＩが、機能領域ごとに分類されているものもある。なぜなら、キー操作設定とウェブページ設定とが重複している可能性があるためである。
【００９８】
（内部課金ＡＰＩ（INTERNAL ACCOUNTING API））
内部課金ＡＰＩによって、遠隔演算装置アプリケーションが、内部課金のシステムを構成し、かつクリック数をレポートすることができる。模範的な実施形態の中には、内部課金ＡＰＩが、以下のものを含んでいるものもある。
・監査オプションを設定−遠隔演算装置６は、どのモードの監査が可能であるのかを含む監査オプションを設定する。上記のモードとしては、例えば、「アカウント番号のセキュリティー」、「無効なアカウントのジョブのキャンセル」などが含まれる。
・アカウントコードの管理−遠隔演算装置６は、アカウントコードを追加、編集、または削除する。
・アカウント制限−遠隔演算装置アプリケーションは、個別のアカウントコードまたは全アカウントコードの、クリック数の上限を機能別に指定する。
・アカウントリセット−遠隔演算装置アプリケーションは、個別のアカウントまたは全アカウントのクリック数をリセットする。
・クリック検索−遠隔演算装置６は、各アカウントコードのクリック数を機能別に検索する。
【００９９】
（フォントおよび書式管理ＡＰＩ（Font and Form Management API））
上記の実施形態では、フォントおよび書式管理ＡＰＩを含んでいてもよいものもある。フォントおよび書式管理ＡＰＩによって、ＲＣＤアプリケーションが、フォントおよび書式を大容量記憶装置に遠隔ダウンロードして管理することができる。実施形態の中には、フォントおよび書式管理ＡＰＩは、遠隔演算装置６に以下の制御を行わせることができるものもある。
・大容量記憶装置の制御−遠隔演算装置６のアプリケーションは、記憶容量、利用可能なスペース、および書込み禁止モードを含む、大容量記憶装置の状態情報を検索し、かつ書込み禁止状態を変更する。
・リソース一覧−遠隔演算装置アプリケーションは、記憶されているフォントおよび書式（例えば、フォントまたはマクロＩＤ、フォント番号、フォント／書式名、エスケープシーケンス、ファイルサイズなど）の一覧を検索する。
・リソースのダウンロード−遠隔演算装置アプリケーションは、ＰＣＬフォント、ＰＣＬマクロ、ＰＳフォント、書式をダウンロードする。リソースがウェブページを介してダウンロードされる際に実行されるあらゆる特別な処理は、リソースがオープンシステムを介してダウンロードされる際にも実行される。
・リソースを削除−遠隔演算装置アプリケーションは、大容量記憶装置に記憶されている全てのリソースを削除する。
・リソースをアップロード−遠隔演算装置アプリケーションは、個々の、あるいは全てのリソースをアップロードする。効率的なメモリ管理を行えない画像処理装置４の場合、サーバアプリケーションは、この機能を用いて大容量記憶を「デフラグ」することができる。
・フォント／マクロＩＤ−遠隔演算装置アプリケーションは、ＰＣＬフォントおよびマクロに割り当てられたＩＤを割り当て、または変更する。
【０１００】
（ファームウェア管理ＡＰＩ（Firmware Management API））
上記の実施形態には、ファームウェア管理ＡＰＩによって、遠隔演算装置またはネットワークアプリケーションが、画像処理装置ファームウェアを遠隔ダウンロードおよび管理するようにしてもよいものもある。典型的な実施形態では、ファームウェア管理ＡＰＩは、遠隔演算装置６（例えばサーバ）に以下の制御を行わせることができる。
・ファームウェアバージョン−遠隔演算装置アプリケーションは、現在のファームウェアバージョン番号を検索する。
・サービスモード−遠隔演算装置アプリケーションは、ＭＦＰをサービスモードにして、ファームウェアのアップグレードを阻害するであろう他のジョブを締め出す。サービスモード要求を受信すると、画像処理装置４は、送信されてくるジョブの受信を停止し、キューの全てのジョブを終了し、そして該画像処理装置４がサービスモードにあることをサーバに通知する。
・ファームウェアをアップデート−遠隔演算装置６は、最新ファームウェアバージョンを画像処理装置４にダウンロードする。再起動が必要である場合、ダウンロード終了後に画像処理装置４を自動的に再起動させる。
・ダウンロード状態−画像形成装置４は、ファームウェアのダウンロード後、遠隔演算装置６に状態通知（正常／エラー）を送信する。
・旧バージョンへ戻す−ファームウェアが正常に更新されない場合、旧ファームウェアバージョンへ戻すよう画像処理装置４に要求する。
【０１０１】
（装置機能ＡＰＩ）
上記の実施形態の中には、装置機能ＡＰＩによって、遠隔演算装置アプリケーションが、既存の画像処理装置の機能性を用いて新しいカスタムソリューションを提供することができるものもある。
【０１０２】
（画像送信ＡＰＩ）
上記の実施形態の中には、画像送信ＡＰＩによって、遠隔演算装置に以下の制御を行わせることができるものもある。
・画像送信パラメータ―遠隔演算装置ＲＣＤのアプリケーションは、以下の画像読取およびファックスパラメータ値を入手および設定する：
・カラーまたは白黒
・画像モード−テキスト、テキスト／フォト、フォト；露光レベル
・解像度
・ファイル形式―ファイルの種類、圧縮、ファイルのページ数
・原稿―原稿サイズ、片面／両面、回転、ジョブビルド（job build）
・ファイル名
・件名
・メッセージ
・送信元
・予定送信時間
・ページ分割（本の画像読取）
・表紙
・伝送メッセージ（機密、緊急など）
・薄紙の画像読取
・宛先
・文書ファイリング
・画像読取開始―遠隔演算装置ＲＣＤのアプリケーションは、画像読取機能を開始させる（ユーザがスタートボタンを押した場合と同様に開始させる）。
【０１０３】
実施形態の中には、遠隔演算装置６が、画像処理装置４のデフォルト値、または現在のジョブの値を変更できるものもある。また、遠隔演算装置６が、現在のジョブに対してユーザが画像読取パラメータを変更できるかどうかを指定するようにしてもよい。１つの遠隔演算装置アプリケーション（例えばアクセス制御アプリケーション）がパラメータを変更できないように指定し、第２のアプリケーション（例えば文書管理アプリケーション）がパラメータを設定しようとした場合、第２のアプリケーションに通知が送信され、設定は変更されない。
【０１０４】
（印刷ＡＰＩ）
実施形態の中には、遠隔演算装置が、印刷ジョブを、標準印刷チャネルを介して提示するようにしてもよいものもある。実施形態の中には、印刷ＡＰＩが、遠隔演算装置に以下の制御を行わせるようにしてもよいものもある。
・ＰＪＬ検索（sniffing）−遠隔演算装置ＲＣＤのアプリケーションは、印刷ジョブ中に特定のＰＪＬコマンドが発見されたときに命令に接続する（contacted for）ように、画像処理装置に登録する。遠隔演算装置は、画像処理装置ＩＤｅｖに、コマンドの置き換え、ジョブのキャンセル、または印刷の続行を命令できる。このインターフェースは、課金などのアプリケーションに使用することができ、他の種類のアプリケーションとの互換性がある。
【０１０５】
（コピーＡＰＩ）
上記の実施形態では、コピーＡＰＩ（Copy API）が、遠隔演算装置に以下の制御を行わせるようにしてもよい。
・コピーパラメータ―遠隔演算装置ＲＣＤのアプリケーションは、以下のコピーパラメータの値を入手および設定する。
【０１０６】
・カラーまたは白黒
・露光−テキスト、テキスト／フォト、フォト、スーパーフォト；露光レベル
・用紙選択（トレイ毎）
・コピー率
・両面コピー−１対１、１対２、２対２、２対１；端部綴じ
・排出−排出トレイ、ソート、ステープル、グループ、オフセット
・原稿サイズ
・特殊な機能−余白変更、消去、パンフレット等
・文書ファイリング
・コピー開始−遠隔演算装置ＲＣＤのアプリケーションは、コピー機能を開始する（ユーザがスタートボタンを押した場合と同様に開始させる）。
【０１０７】
実施形態の中には、遠隔演算装置が、画像処理装置のデフォルト値、または現在のジョブの値を変更できるものもある。また、遠隔演算装置が、現在のジョブに対してユーザがコピーパラメータを変更できるかどうかを指定するようにしてもよい。
【０１０８】
（文書ファイリングＡＰＩ）
上記の実施形態では、文書ファイリングＡＰＩが、遠隔演算装置に以下の制御を行わせるようにしてもよいものもある。
・バックアップ／復元−遠隔演算装置ＲＣＤのアプリケーションは、全ての文書ファイリングデータと共にバッチファイルをインポートおよびエクスポートする。実施形態の中には、このパッケージが独自の形式（proprietary format）であってもよいものもある。なぜならこのパッケージは、パスワード保護されている個人がアクセスできない文書を含んでいるからである。このパッケージは、一般的には、障害の際や他装置へ複製する際に復元するために用いられる。
・ファイル／フォルダリスト−遠隔演算装置６のアプリケーションは、画像処理装置４へ記憶させるため（あるいは画像処理装置４の管理のため）に、新規のファイルおよびフォルダを検索、変更、および、作成する。
・ファイルのダウンロード−遠隔演算装置６は、新規ファイルを文書ファイリングシステムへダウンロードし、フォルダ、ファイル名、ユーザ名、パスワードを指定する。
・ユーザリスト−遠隔演算装置アプリケーションは、画像処理装置４へ記憶させるため（あるいは画像処理装置４の管理のため）に、新規のユーザを検索、変更、および、登録する。
・ＨＤＤ状態−遠隔演算装置アプリケーションは、メインフォルダ、クイックフォルダ、カスタムフォルダに割り当てられている％（容量の割合）、および残存％などの、現在のＨＤＤ状態を検索する。
・文書ファイリングパラメータ−遠隔演算装置アプリケーションは、ファイルを文書ファイリングへ保存する際の、各種の値（例えば以下に示す値）を入手および設定する：
・露光
・解像度
・原稿−サイズ、片面／両面
・ファイル情報−ユーザ名、ファイル名、フォルダ、機密、パスワード
・特殊モード−消去、袋とじコピー、２ＩＮ１、ジョブビルド、カードショット（card shot）
・印刷開始−遠隔演算装置アプリケーションは、記憶されているファイルの１つを選択し、例えば以下のパラメータを反映して印刷を開始する：
・用紙サイズ／ソース
・排出−ソート／グループ化、排出トレイ、ステープル、パンチ、オフセット
・片面／両面（タブレット／ブックレット）
・タンデム印刷
・コピー部数
・印刷後に削除するかあるいは保存しておくか
・送信開始−遠隔演算装置のアプリケーションは、記憶さているファイルの１つを選択し、例えば以下のパラメータを反映して送信を開始する：
・解像度
・ファイル形式
・宛先
・タイマー
・送信元
・ファイル名
・件名
・メッセージ。
【０１０９】
(セキュリティー)
外部アプリケーションによる画像処理装置４の制御を可能にすることによって、該画像処理装置４が、新たなセキュリティーの脆弱性にさらされることになる。セキュリティー対策を提供している本発明の実施形態では、以下の典型的な項目がセキュリティー上の懸念事項であり、遠隔演算装置６のインターフェースによってこれらに対処している。
【０１１０】
遠隔演算装置６のインターフェースへのアクセスは、正規アプリケーションに限定されている。実施形態では、画像処理装置４の広範囲に及ぶアクセスおよび制御を提供しているが、これによってセキュリティー上の重大な危険がもたらされる。これらの実施形態におけるインターフェースは、攻撃者によるアクセスから保護されている一方、有効なソリューションのセットアップおよび利用は容易なままである。
【０１１１】
機密データ（ユーザ証明データおよびジョブデータ）は、ネットワーク伝送中は保護されている。ユーザ証明データおよびジョブデータがネットワーク伝送中に保護されているのは、盗難予防、侵入者による装置動作のモニター予防、そして介入者攻撃によるメッセージの改変予防を確実に行えるようにするためである。画像処理装置４は、該画像処理装置４と遠隔演算装置アプリケーションとの間を通信している間、データの安全を確保するように、セキュアソケットレイヤー（Secure Sockets Layer；SSL）および他の接続をサポートしている。
【０１１２】
管理者は、画像処理装置４へのアクセスを制限することができる。厳しいセキュリティーを要求するユーザに対して、管理者は遠隔演算装置６からのアクセスを不可にしたり、特定のアプリケーションへのアクセスを制限することができる。管理者は、任意に、画像処理装置４のインターフェースにアクセスできるアプリケーションを限定して登録することができる。
【０１１３】
遠隔演算装置アプリケーションは、画像処理装置４に「なりすまし」されないようにすることができる。遠隔演算装置６は、該遠隔演算装置６と接続されている画像処理装置４を認証することができる。これは、侵入者が、その画像処理装置４になりすましてネットワーク構成およびパスワード情報を収集したり、文書管理システムのファイル／フォルダ構成をモニターしたり、画像処理装置４のセキュリティー設定およびＤＳＫ状態をだましたりできないようにするためである。
【０１１４】
遠隔演算装置６は、サーバに「なりすまし」されないようにすることができる。画像処理装置４は、該画像処理装置４と接続されている全遠隔演算装置６を認証できなければならない。これは、侵入者が遠隔演算装置６のＩＰアドレスになりすますことを防ぐためである。遠隔演算装置６を装うことによって、侵入者は、ユーザ証明データを盗み出したり、読み取った文書を転送したり、装置構成またはファームウェアを改変したり、（権限のないユーザにアクセスを与えるため、あるいは正規ユーザに対するサービス不能攻撃を開始するために）アクセス制御システムを停止させたりできる。
【０１１５】
アクセス制御／販売アプリケーションは、遠隔演算装置６が使用できない状態にあるときは、危険にさらされることはない。遠隔演算装置６が使用できない状態にあるとき、画像処理装置４にオープンアクセスを与えることは許可されない。遠隔演算装置６が起動されているにもかかわらず使用できない場合、あるいは随時使用できなくなった場合（例えば、誰かがネットワークケーブルを切断した場合）、画像処理装置４は即座に使用不可になり、エラーメッセージが表示される。
【０１１６】
管理者は、企業およびあるいはアプリケーションの必要性に基づいて、セキュリティーレベルを調整することができる。セキュリティー要件は、遠隔演算装置アプリケーションの開発に費やす時間、およびソリューションを実行するために必要なリソースに大きな影響を与える。いくつかの実施形態を利用するユーザは、保有する画像処理装置４は１つで、ＩＴスタッフがおらず、単純な画像読取アプリケーションまたは印刷アプリケーションを使用している小企業から、アクセス制御と全装置の動作について記録する監査証跡とを用いる政府機関にまで及ぶかもしれない。画像処理装置４のインターフェースを保護するために講じられるセキュリティー対策は、目的とする環境と合致するように、管理者によって調整可能である。
【０１１７】
画像処理装置４および遠隔演算装置アプリケーションは、ユーザ証明データを相互に通信することができる。ユーザは、ジョブ中の複数の時点において、ログインするように促されることがある。例えば、アクセス制御アプリケーションまたは課金アプリケーションは、全ての装置アクセスを制御し、画像処理装置４は、画像送信を可能にするユーザ認証を行い、文書管理アプリケーションは、フォルダリストを表示する前に、ユーザにログインするよう要求する。多くの環境において、これら全てのアプリケーションは、共通のユーザデータベースを使用する。このため、実施形態によっては、ユーザが認証工程を繰り返す必要がないように、上記アプリケーションはユーザ証明データを相互に通信し合うことが望ましいものもある。
【０１１８】
本発明の一部の実施形態について、図３を参照して説明する。これらの実施形態は、例えば通信回線を介して接続されるサーバなどの遠隔演算装置と相互通信するように構成された画像処理装置を含んでいる。画像処理装置３０は、ユーザインターフェース３２およびディスプレイ３６を備えている。ユーザインターフェース３２は、例えばキーボード、１つ以上のボタン、ノブまたはスイッチ、あるいはタッチスクリーンパネルといった、ユーザ入力装置３４である。ディスプレイ３６は、タッチスクリーンパネル形式のユーザ入力装置であってもよい。
【０１１９】
画像処理装置３０は、一般的に、１つ以上の画像処理機能を実行する能力がある。ここでいう画像処理機能としては、例えば画像読取、印刷、コピー、ファックス通信（送信および受信）などが含まれるが、これらに限定されるものではない。
【０１２０】
この実施形態では、通信回線３８がさらに備えられている。この通信回線３８は、（図３に示すような）有線であってよい。有線としては、例えば、ネットワークケーブル、ユニバーサルシリアルバス（Universal Serial Bus；USB）ケーブル、シリアルケーブル、パラレルケーブル、例えばホームプラグ（HomePlug）接続回線などの電力通信線、あるいはその他の有線を用いることができる。あるいは、通信回線３８は、無線であってもよい。無線による接続としては、例えば、ＩＥＥＥ８０２．１１（ｂ）規格の接続、ブルートゥース接続、赤外線通信協会（Infrared Data Association；IrDA）接続、あるいはその他の無線接続を用いることができる。
【０１２１】
画像処理装置３０の動作例について、図４を参照して説明する。これらの実施形態では、まず、画像処理装置３０は、遠隔演算装置（図３には不図示）からメニューデータを受信する（工程４０）。この遠隔演算装置は、有線または無線接続の通信リンク３８を介して画像処理装置３０に接続されている。次に、画像処理装置３０のユーザインターフェース３２のディスプレイ３６に上記メニューデータを表示する（工程４２）。リモートメニューデータをこのように表示させる目的は、ユーザによる、ユーザインターフェース３２のユーザ入力装置３４上での入力を迅速にするためである。
【０１２２】
上記実施形態の画像処理装置３０は、リモートメニューデータが表示された後のユーザによる入力を受け付けて、ユーザ入力データを遠隔演算装置へ送信するように構成されている（工程４４）。実施形態によっては、このユーザ入力データは、遠隔演算装置によって処理されるものもある。上記処理とは、例えば、遠隔演算装置におけるアプリケーションの実行、遠隔演算装置に記憶されているデータへのアクセス、該データの通信などである。
【０１２３】
また、上記実施形態の画像処理装置３０は、上記ユーザ入力データの処理によって生じるデータを受信する（工程４６）ように構成されている。上記受信するデータとは、ユーザ入力後に遠隔演算装置上で実行されるアプリケーションによって生成されるデータを含んでいてもよい。画像処理装置３０はまた、ユーザ入力の処理後にファイルサーバなどの遠隔演算装置に記憶されたデータを受信してもよい。
【０１２４】
画像処理装置３０は、上記処理データを受信する（工程４６）と、そのデータに応じて、あるいはそのデータを使用することによって固有の機能を実行する（工程４８）。例えば、これに限定されるものではないが、画像処理装置３０は、遠隔演算装置に記憶され、かつユーザ入力に応じて遠隔演算装置上で修正されている文書を印刷する。別の例として、これに限定されることはないが、画像処理装置３０は、工程４６における処理データを受信すると、上記画像処理装置３０の機能（例えば、画像読取、コピー、印刷、ファックス通信）をアクティブまたは使用可能にするようになっていてもよい。
【０１２５】
画像処理装置３０の、さらに具体的ないくつかの実施形態について、図５を参照して説明する。上記実施形態では、画像処理装置３０は、マークアップ言語によってフォーマットされたメニューデータを、遠隔演算装置から受信する（工程５０）ように構成されている。上記メニューデータが通信される通信リンクは、ハイパーテキスト転送プロトコル（Hypertext Transfer Protocol；HTTP）を使用して構築および維持されるものであってもよい。上記のマークアップ言語としては、例えばハイパーテキストマークアップ言語（ＨＴＭＬ）、エクステンシブルマークアップ言語（ＸＭＬ）、ワイヤレスマークアップ言語（ＷＭＬ）、エクステンシブルハイパーテキストマークアップ言語（ＸＨＴＭＬ）、および／または他の言語を用いることができる。
【０１２６】
画像処理装置３０は、上記メニューデータを受信（工程５０）すると、受信したメニューデータを画像処理装置３０のユーザインターフェースディスプレイ３６上に表示する（工程５２）。前述した実施形態と同様に、上記メニューデータは、一般的に、画像処理装置３０のユーザインターフェース３２上でのユーザによる入力を迅速にするためのものである。遠隔記憶されたメニューデータの表示（工程５２）は、画像処理装置３０に備えられているブラウザアプリケーションを用いて達成されてよい。
【０１２７】
上記の実施形態では、画像処理装置３０はさらに、ユーザインターフェース３２を介して受信されたユーザ入力を、遠隔演算装置へと送信する（工程５４）ように構成されている。遠隔演算装置は、上記ユーザ入力を受信すると、アプリケーションを実行するか、あるいは受信したユーザ入力を処理してその処理結果を画像処理装置３０へ返信する。画像処理装置３０はさらに、遠隔演算装置から処理データを受信する（工程５６）ように構成されている。実施形態によっては、画像処理装置３０が、処理データの受信（工程５６）後に、１つ以上の機能を実行するようにしてよいものもある。
【０１２８】
本発明のさらに他の実施形態について、図６を参照して説明する。この実施形態は、通信回線６４を備えた遠隔演算装置（ＲＣＤ）６０を含んでいる。通信回線６４としては、（図６に示したように）ネットワークケーブル、ユニバーサルシリアルバス（ＵＳＢ）ケーブル、シリアルケーブル、パラレルケーブル、例えばホームプラグ接続などの電力通信線、あるいはその他の有線などを用いることができる。あるいは、通信回線６４による接続は、例えばＩＥＥＥ８０２．１１（ｂ）規格の接続、ブルートゥース接続、赤外線通信協会（ＩｒＤＡ）規格によって規定されているような赤外線接続、あるいはその他の無線接続であってもよい。実施形態の中には、遠隔演算装置６０がさらに、データ記憶装置６２をさらに備えていてもよいものもある。このデータ記憶装置６２は、一般的にはハードドライブであるが、例えばコンパクトディスクドライブなどの光学ドライブ装置、フラッシュメモリ、またはその他の記憶装置であってよい。
【０１２９】
遠隔演算装置６０の実施形態について、図７を参照してより詳細に説明する。これらの実施形態では、遠隔演算装置６０はプロセッサ７２を備えている。このプロセッサ７２は、データを処理し、かつオペレーティングシステムやアプリケーションなどのプログラムを実行する。遠隔演算装置６０はメモリ７４をさらに備えている。このメモリ７４は、ランダムアクセスメモリ（ＲＡＭ）であってもよく、読込専用メモリ（ＲＯＭ）であってもよい。一般的には、プロセッサ７２によって処理されるあらゆるアプリケーションはメモリ７４に読み込まれる。遠隔演算装置６０はさらに、ネットワークインターフェース７８を備えている。このネットワークインターフェース７８は、遠隔演算装置６０が、画像処理装置３０などの別の装置と通信することを可能にする。なお、実施形態によっては、遠隔演算装置６０は、ユーザインターフェース（ＵＩ）８０をさらに備えているものもあるが、これは多くの実施形態において不要である。また、遠隔演算装置６０は、本発明の実施形態の画像処理装置３０によってアクセスされるアプリケーションおよびデータを記憶させる記憶装置６２を備えている。プロセッサ７２、メモリ７４、記憶装置６２、ネットワークインターフェース７８、および任意に備えられるユーザインターフェース８０は、一般的に、システムバス７６によって接続されている。これによって、各部材間のデータ伝送が可能になる。通信回線６４は、ネットワークインターフェース７８を介して、遠隔演算装置６０を別の装置と接続させる。
【０１３０】
図８に関して記載したいくつかの実施形態では、遠隔演算装置６０は、記憶装置６２またはメモリ７４に記憶されたメニューデータを有している。画像処理装置３０のユーザインターフェース３２上にこのメニューデータが表示されるように構成されていてもよい。また、上記メニューデータは、様々な形式および構成で記憶されてよい。実施形態の中には、上記メニューデータが、マークアップ言語によって表現される言語形式（form of terms）であってもよいものもある。マークアップ言語としては、ハイパーテキストマークアップ言語（ＨＴＭＬ）、エクステンシブルマークアップ言語（ＸＭＬ）、ワイヤレスマークアップ言語（ＷＭＬ）、エクステンシブルハイパーテキストマークアップ言語（ＸＨＴＭＬ）、および／または他の言語を用いることができる。本実施形態では、メニューデータは、工程８２において、通信リンク６４を介して画像処理装置３０へと送信される。従って、画像処理装置３０上に表示されるように構成されたメニューデータは、遠隔演算装置６０に記憶されている。
【０１３１】
次に、いくつかの実施形態の遠隔演算装置６０は、ユーザ入力を受信する（工程８４）ように構成されている。このユーザ入力は、画像処理装置３０のユーザインターフェース３２を介して入力され、通信リンク３８ならびに６４を介して遠隔演算装置６０へ伝送されたものである。遠隔演算装置６０は、この入力データを受信すると、この入力データの処理を行う（工程８６）。この処理工程８６は、このデータを新たな形式に変換する工程であってもよく、このデータ内のコマンドを実行する工程であってもよく、その他の処理工程であってもよい。遠隔演算装置６０は、上記入力データを処理（工程８６）した後、処理結果を画像処理装置３０へ返信する。画像処理装置３０は、受信した処理結果を、画像処理装置３０における処理または画像処理装置３０において実行する機能に使用する。
【０１３２】
他の実施形態について、図９を参照して説明する。この実施形態では、遠隔演算装置６０は、画像処理装置３０のディスプレイ３６用に構成されているメニューデータを、マークアップ言語を用いて送信する（工程９０）。このマークアップ言語メニューデータは、画像処理装置３０において受信され、ユーザに表示される。これによって、通常は、画像処理装置３０のユーザインターフェース３２上でユーザが迅速に入力できるようになる。このユーザ入力は、画像処理装置３０によって遠隔演算装置ＲＣＤ６０へと送信され、遠隔演算装置ＲＣＤ６０は、画像処理装置３０上のメニューデータを迅速に表示する入力データを受信する（工程９２）。さらに、遠隔演算装置ＲＣＤ６０は、受信した入力データを処理する（工程９４）。この処理工程は、例えば、形式、文書、または遠隔演算装置ＲＣＤ６０に記憶されているその他のデータを選択、記録、変更等する工程であってもよく、上記ユーザ入力によって識別されたユーザを認証する工程であってもよく、上記ユーザによって入力された文書を翻訳する工程であってもよく、ユーザ入力に関連するマップまたはその他の指示を生成する工程であってもよく、あるいはその他の処理または機能であってもよい。
【０１３３】
本発明のさらに他の実施形態について、図１０および図１１を参照して説明する。上記実施形態は、少なくとも一台の遠隔演算装置ＲＣＤ６０、および複数の画像処理装置３０ａ〜３０ｄを含んでいる。上記実施形態において、画像処理装置３０ａ〜３０ｄの内の少なくとも一台は、ディスプレイ３６およびユーザ入力パネル３４を有するユーザインターフェース３２を備えている。ユーザ入力パネル３４は、ディスプレイと一体型（すなわちタッチスクリーン）であってもよく、あるいはディスプレイとは別個の入力装置であってもよい。遠隔演算装置ＲＣＤ６０は、通信リンクおよびネットワーク１００によって画像処理装置３０ａ〜３０ｄに接続されている。これにより、遠隔演算装置ＲＣＤ６０と画像処理装置３０ａ〜３０ｄとの間のデータ伝送が可能になっている。
【０１３４】
上記実施形態では、メニューデータは、遠隔演算装置ＲＣＤ６０に記憶されており、そして画像処理装置３０ａ〜３０ｄの内の少なくとも一台に送信される。そして、このメニューデータは、ユーザインターフェースに表示される。画像処理装置３０ａ〜３０ｄのいずれも、上記メニューデータを受信しユーザ入力を受け付け（工程１１２）、受け付けたユーザ入力を遠隔演算装置６０へ伝送する（工程１１４）ように構成されている。遠隔演算装置６０は、ユーザ入力データを受信すると、前述の実施形態と同様にこのデータを処理する（工程１１６）。そして、処理（工程１１６）の結果を、任意に組み合わせた画像処理装置３０ａ〜３０ｄへと返信する（工程１１８）。
【０１３５】
上記実施形態では、一台の遠隔演算装置ＲＣＤ６０を使用して、処理能力、リソース、および機能性を複数の画像処理装置３０ａ〜３０ｄへ供給している。このとき、これらのリソースを各画像処理装置において再生することはない。なお、実施形態によっては、ある画像処理装置３０ａに対する入力に応じて生成した処理データを、この処理データの出力または最終処理のために、別の画像処理装置３０ｄへ送信するようにしてもよいものもある。
【０１３６】
本発明のさらに他の実施形態について、図１２を参照して説明する。本実施形態では、画像処理装置（ＩＤｅｖ）１２０は、ユーザインターフェース１２４を備えている。ユーザインターフェース１２４は、ユーザ入力を受け付けることができ、また、データをユーザに表示することができる。ユーザインターフェース１２４は、一般にディスプレイを備えている。このディスプレイは、タッチパネルの形態であることが多い。このディスプレイは、データをユーザに表示するために使用される。このデータは、例えば、ユーザＩＤおよびパスワードなどのユーザ選択、データ入力、形式選択、およびその他の入力を迅速にするための、メニューデータなどである。画像処理装置１２０は、通信リンク１２２を備えている。この通信リンク１２２としては、一般的なコンピュータネットワーク接続、シリアルケーブル、あるいは、別の実施形態において説明した有線または無線通信リンクを用いることができる。通信リンク１２２は、画像処理装置１２０を、サーバなどの遠隔演算装置（ＲＣＤ）１２６ａ、１２６ｂへ接続する。遠隔演算装置１２６ａ、１２６ｂは、形式やその他のデータなどの文書を記憶するためのものであってもよく、データを画像処理装置１２０からアクセス可能にするために使用されるものであってもよい。遠隔演算装置ＲＣＤ１２６ａ、１２６ｂはまた、画像処理装置１２０およびそのユーザインターフェース１２４と情報交換するアプリケーションや、上記の画像処理装置１２０およびそのユーザインターフェース１２４に対する入力を受け付けるアプリケーションを実行するものであってもよい。また、実施形態によっては、データベース１２５が、画像処理装置１２０および／または遠隔演算装置１２６ａ・１２６ｂにリンクされていてもよいものもある。また、実施形態によっては、遠隔演算装置１２６ｂまたはデータベース１２５が、インターネット１２８などの広域ネットワークを介して画像処理装置１２０に接続されていてもよいものもある。
【０１３７】
（画像処理装置にコンテンツを表示するための実施形態）
本発明の一部の実施形態は、内蔵ソフトウェアといった存在を用いて、画像処理装置（ＩＤｅｖ）内のクライアントブラウザにコンテンツを送信する方法およびシステムを含んでいる。典型的な周辺機器システムでは、ウェブブラウザのクライアントアプリケーションは、サーバとの対話（通信）を行う。これらの対話の本質は要求であり（ブラウザが、サーバからのＵＲＬを要求する）、これに応答が続く（サーバが、コンテンツをブラウザへ送信することによって応答する）。対話全体が、これら要求／応答の組み合わせによって構成されている。一般的には、この対話を「インタラプト（割り込み）」すること、あるいはこのような対話を外部の存在から開始することは不可能である。しかしながら、クライアントまたはサーバのいずれかにおいて、現在の対話をインタラプトするように、あるいは新しい対話を開始して全く異なるＵＲＬを表示させるように、上記いずれかの側に要求する状況もあり得る。この新しいＵＲＬには、例えば、インタラプトを必要とする状態が記述されている。このインタラプト機能は、従来技術には存在していない。
【０１３８】
本発明の実施形態は、サーバとウェブブラウザクライアントとの通信セッションをインタラプトする機能を持つ方法およびシステムを含んでいる。これらの方法は、インタラプト方法と称されることもある。新しい対話が開始される際の最初の工程は、ブラウザへのコンテンツの「転送（pushing）」と称されることがある。これらのシステムおよび方法を画像形成装置システム内において用いることによって、エラー状態が発生したときに、画像形成装置ウェブブラウザがサーバに通知することが可能となる。所定のエラー状態が発生したときにサーバアプリケーションをインタラプトする機能、および上記サーバからコンテンツにアクセスする機能によって、グループが、より効果的かつ有利に動作できる。
【０１３９】
本発明の一部の実施形態は、画像処理装置上のクライアントブラウザへコンテンツを転送することについて規定している。一部の実施形態では、「ウェブサービス」と称されるソフトウェアの存在を用いて転送される。この「ウェブサービス」は、ＭＦＰ内において動作する。
【０１４０】
ウェブサービス（Web Service）は、ＵＲＩ（Uniform Resource Identifier）によって識別されたソフトウェアアプリケーションである。ＵＲＩのインターフェースおよびバインディング(binding)は、エクステンシブルマークアップ言語（Extensible Markup Language；XML）アーティファクトによって定義、記述、検出される機能を持ち、また、ＸＭＬベースのメッセージを用いて、インターネットベースのプロトコルを介して、他のソフトウェアアプリケーションと直接情報交換することをサポートする。
【０１４１】
これらの実施形態のウェブサービスは、新しいコンテンツを表示することによってブラウザを占有できるウェブ方法を用いている。この方法は、新しいブラウザコンテンツがブラウザへ転送されるため、「表示画面（ShowScreen)」方法と称されることもある。表示画面方法は、ブラウザに特定のＵＲＬを表示するように指示することができ、あるいは、テキスト（html、xml等）コンテンツ（すなわち文字列）、または別のコンテンツをブラウザに表示させるために渡すことができる。表示画面方法は、ＭＦＰによってもたらされた状態に応じて呼び出すことができる。この状態は、ウェブサービスを介してサーバに送ることができる。この通知を受信した後に、サーバは、上記表示画面方法を呼び出すことによってブラウザにコンテンツを転送できる。そしてブラウザが、この新しく、かつ要求されていないコンテンツを表示する。
【０１４２】
本発明の一部の実施形態は、１つ以上の追加の画像処理装置（ＩＤｅｖ）、または１つ以上の遠隔演算装置（ＲＣＤ、リモート演算装置）と通信する画像処理装置を含んでいる。
【０１４３】
本発明の一部の実施形態について、図１３を参照しながら説明する。この実施形態では、画像形成装置（ＩＤｅｖ）１３９は、ディスプレイ（表示部）１３０、ウェブブラウザ（ブラウザ）１３１、内蔵アプリケーション１３３を備えている。また、図示しないが、画像形成装置１３９における各種動作を制御する制御部、ウェブブラウザ１３１と外部、およびウェブサービス１３３と外部との通信を行う通信インターフェースを備えている。
【０１４４】
ディスプレイ１３０は、ウェブブラウザ１３１からのコンテンツおよびウェブページを表示する機能を有している。このコンテンツは、例えば画像処理装置１３９に内蔵されたウェブサービスまたは別のソフトウェアなどの、内蔵アプリケーション１３３によって、ウェブブラウザ１３１に転送される。内蔵アプリケーション１３３は、ローカルサーバ１３５（すなわちＬＡＮ上にある）、あるいは、例えばインターネットなどのＷＡＮ１３６を介してアクセスされるリモートサーバ１３８によって呼び出すことができる。内蔵アプリケーション１３３は、また、サーバとして機能する外部ソフトウェアアプリケーションによっても呼び出すことができる。一部の実施形態では、内蔵アプリケーション１３３は、ウェブページのＵＲＬを画像処置装置１３９のウェブブラウザ１３１に転送できる。そしてウェブブラウザ１３１は、上記ＵＲＬに接続してウェブページを取り出す。このＵＲＬは、内蔵アプリケーション１３３を呼び出すローカルサーバ１３５およびリモートサーバ１３８上のリソース、あるいは、異なるサーバ１３４およびリモートサーバ１３７上のリソースを示している。サーバ１３４は、ローカルネットワーク上、またリモートサーバ１３７は、例えばインターネット１３６などのＷＡＮを介した遠隔位置にある。
【０１４５】
これらの実施形態では、ローカルサーバ１３５は、画像処理装置１３９の内蔵アプリケーション１３３と通信できる。この通信は、内蔵アプリケーション１３３への、リソースＵＲＬを含むコンテンツの転送、および内蔵アプリケーション１３３からの通信の受信を含んでいてよい。リモートサーバ１３８はまた、内蔵アプリケーション１３３と双方向通信できる。この双方向通信では、ウェブコンテンツ、ＵＲＬ、およびその他のデータが、リモートサーバ１３８および内蔵アプリケーション１３３によって伝送ならびに受信される。
【０１４６】
本実施形態では、上記各サーバ１３４・１３５・１３７・１３８が本発明に係る遠隔演算装置として機能する。また、本実施形態では、ローカルサーバ１３５および遠隔サーバ１３８が、画像処理装置１３９の内蔵アプリケーション１３３へリソース識別子を含む表示要求を送信するための第１送信部と、以下で説明する状態通知を受信するための第２受信部を備えている。また、サーバ１３４と遠隔サーバ１３８が、リソース識別子によって識別されたリソースに対する要求を、画像処理装置１３９のウェブブラウザ１３１から受信する第１受信部と、リソースから画像処理装置１３９のウェブブラウザ１３１へコンテンツを送信する第２送信部とを備えているものとする。なお、これらサーバが、各サーバ１３４・１３５・１３７・１３８が上記説明した遠隔演算装置６，６０，１２６ａ・１２６ｂと同じ構成であってもよい。
【０１４７】
画像処理装置１３９のウェブブラウザ１３１は、ＵＲＬ、あるいは表示可能なコンテンツまたは別のデータを要求する別の指示を受信すると、ローカルネットワークのサーバ１３４上において、あるいはリモートリソースへの遠隔接続を介して、上記ＵＲＬまたは同様のリソースに接続する。
【０１４８】
一部の実施形態では、リモートリソース、即ちリモートサーバ１３８、あるいはローカルリソース、即ちローカルサーバ１３５がプロセスを開始できる。これによってコンテンツ、またはコンテンツを要求する指示が、例えばウェブサービスなどの内蔵アプリケーション１３３を介して、画像処理装置１３９のウェブブラウザ１３１に転送される（１３２）。これは、画像処理装置１３９が待機状態にある間に、あるいは画像処理装置１３９が別のプロセスを行っている間に起こる。
【０１４９】
図１４に示す一部の典型的な実施形態では、ローカルサーバ１３５およびリモートサーバ１３８が、画像処理装置１３９のウェブサービス１３３（内蔵アプリケーション１３３）へコンテンツを転送する（工程１４０）。そしてウェブサービス１３３が、画像処理装置１３９のブラウザ１３１へコンテンツ１３２を転送する（工程１４２）。次に、画像処理装置１３９のブラウザ１３１が、画像処理装置１３９のディスプレイ１３０に上記コンテンツを表示する（工程１４４）。そしてユーザは、画像処理装置１３９のユーザインターフェースを介してコンテンツと情報交換して、画像処理装置１３９において実行中のプロセスを終了させる、あるいは別のプロセスを開始することができる。
【０１５０】
本発明の一部の実施形態について、図１５を参照しながら説明する。この実施形態は、リモートアプリケーションを含んでいる。リモートアプリケーションは、リモートサーバ１３８上にあり、画像処理装置１３９内蔵のウェブサービス１３３を呼び出す（工程１５０）。このウェブサービス１３３の呼び出しは、ＵＲＬ、ブラウザコンテンツ、あるいはその他の指示またはデータを含んでいてよい。ウェブサービス１３３は、ＵＲＬまたはその他の指示を受信すると、ローカル位置または遠隔位置からコンテンツまたはその他のデータを入手することによって応答する。上記遠隔位置は、最初にウェブサービスの呼び出しを行ったリモートサーバ１３８であってもよく、またはそうでなくてもよい。次にウェブサービス１３３は、新しく入手したコンテンツまたはデータをウェブブラウザ１３１へ転送する（工程１５２）。その後、ウェブブラウザ１３３は、取得したＵＲＬへ接続してウェブページを取り出す（工程１５４）。そしてウェブブラウザ１３１が、ウェブページを表示する（工程１５６）。
【０１５１】
本発明の一部の実施形態について、図１６を参照しながら説明する。この実施形態は、外部アプリケーションまたはリモートアプリケーションを含んでいる。この外部アプリケーションまたはリモートアプリケーションは、ローカルサーバ１３５またはリモートサーバ１３８上にあってもよい。上記外部アプリケーションは、画像処理装置１３９の内蔵ソフトウェア１３３（内蔵アプリケーション１３３）を呼び出して（工程１６０）、内蔵ソフトウェア１３３へ指示またはコンテンツを伝送する。上記外部アプリケーションは、ＵＲＬまたはその他の形式のリソース識別子を上記内蔵ソフトウェア１３３へ伝送する（工程１６１）。そして内蔵ソフトウェア１３３は、上記ＵＲＬまたはリソース識別子を、ＭＦＰのウェブブラウザ１３１へ転送する（工程１６２）。次に画像処理装置１３９のウェブブラウザ１３１は、内蔵ソフトウェア１３３が伝送した上記ＵＲＬに接続して（１６４）、上記ＵＲＬまたは識別子が識別したコンテンツを取り出す。そして画像処理装置１３９のウェブブラウザ１３１は、取り出したコンテンツを表示する（１６６）。
【０１５２】
本発明の一部の実施形態について、図１７を参照しながら説明する。この実施形態は、サーバ”Ａ”１３５、１３８上に外部アプリケーションを含んでいてよい。この外部アプリケーションは、画像処理装置１３９内蔵ソフトウェア１３３（内蔵アプリケーション１３３）を呼び出す（工程１７０）機能を有している。上記外部アプリケーションは、内蔵アプリケーション１３３にリソース識別子またはＵＲＬを転送する（工程１７１）。そして内蔵アプリケーション１３３は、ウェブブラウザ１３１に、上記リソース識別子またはＵＲＬを転送する（工程１７２）。次にウェブブラウザ１３１は、別個のデバイスであるサーバ”Ｂ”上にあるＵＲＬへ接続し（工程１７４）、上記ＵＲＬまたはリソース識別子が識別したコンテンツを取り出す。そしてＭＦＰのウェブブラウザが、ウェブページを表示する（工程１７６）。
【０１５３】
本発明の一部の実施形態について、図１８を参照しながら説明する。これらの典型的な実施形態は、画像処理装置１３９のウェブサービスまたは内蔵アプリケーション１３３を含んでいる。上記ウェブサービスまたは内蔵アプリケーション１３３は、例えばサーバ（アプリケーション）１３５、１３８などの遠隔演算装置に対して、所定の状態を通知する（１８２）。この所定の状態は、エラー状態、ジョブステータス状態、警報状態、あるいはその他の状態を含んでいてよい。次にサーバ（アプリケーション）１３５、１３８は、画像処理装置１３９のウェブサービス１３３（内蔵アプリケーション１３３）のウェブサービスメソッド「表示画面」を呼び出す（工程１８４）。そしてサーバ（アプリケーション）１３５、１３８は、ＵＲＬまたはリソース識別子を、内蔵ウェブサービス１３３へさらに伝送する（工程１８５）。そしてウェブサービス１３３は、上記ＵＲＬまたはその他のリソース識別子を、ウェブブラウザ１３１へ転送する（工程１８６）。ウェブブラウザ１３１は、識別されたリソースまたはＵＲＬへ接続して（工程１８７）、ウェブページまたはその他のコンテンツを取り出す。そしてウェブブラウザ１３１は、識別された上記コンテンツを表示する（工程１８８）。
【０１５４】
図１９に示す実施形態に関連した一部の典型的な実施形態では、画像処理装置１３９のエラー状態が発生したときに、サーバ１３５、１３８は、ウェブサービス１３３によって通知を受ける（工程１９２）。エラー状態は、媒体不足、トナー不足、インク不足、紙詰まり、機械的な故障、未解決の課金制限、またはその他の状態を含んでいてよい。次にサーバ（アプリケーション）１３５、１３８は、例えば画像処理装置１３９の内蔵ウェブサービス１３３などの内蔵アプリケーションを呼び出す（工程１９４）。サーバア（プリケーション）１３５、１３８はまた、例えばＵＲＬなどのリソース識別子をウェブサービス１３３へ送信して（工程１９５）、ディスプレイ１３０に表示される特定のコンテンツを識別する。次に内蔵アプリケーション１３３は、上記ＵＲＬを画像処理装置１３９のウェブブラウザ１３１へ転送する（工程１９６）。ウェブブラウザ１３１は、上記ＵＲＬに接続して、ウェブページを取り出す（工程１９７）。そしてウェブブラウザ１９７は、ＭＦＰのウェブサービスにウェブページを表示する（工程１９８）。
【０１５５】
図２０に示す本発明の一部の実施形態は、ウェブサービス１３３（内蔵アプリケーション）を含んでいる。ウェブサービス１３３は、遠隔演算装置であるサーバ１３５、１３８に対して、例えば火災警報などの警報状態を通知する（工程２０２）。遠隔演算装置であるサーバ１３５、１３８は、内蔵されたウェブサービス１３３のウェブサービスメソッド表示画面を呼び出す（工程２０４）ことによって応答する。この呼び出しは、ウェブサービス１３３へ伝送されたブラウザコンテンツを伴っていてよい。そしてウェブサービス１３３は、上記コンテンツをウェブブラウザ１３１へ転送する（工程２０６）。そしてウェブブラウザ１３１は、上記コンテンツを表示する（工程２０８）。警報状態が、火災警報またはその他の緊急警報である場合の典型的な実施形態では、ウェブサービス１３３へ伝送されたコンテンツ、およびウェブブラウザ１３１へ転送された（工程２０６）コンテンツは、避難地図または非常口の指示を含んでいてよい。上記コンテンツが表示されると（工程２０８）、警報音または視覚的に目立つ表示によって、ユーザに緊急状態を示し、そしてユーザに適切な対応手順を連絡する。一部の実施形態では、緊急避難地図または非常口の指示に関するコンテンツは、ユーザのために印刷されるようになっていてもよい。一部の実施形態では、画像処理装置は、ファックスメッセージを任意の受信者に送信することによって、緊急対応コンテンツの受信に応答するようになっていてもよい。
【０１５６】
図２１に示す本発明の一実施形態では、画像処理装置１３９の内蔵ソフトウェア１３３（内蔵アプリケーション１３３）が、サーバに画像処理装置１３９の状態を通知する（工程２１２）。次にサーバが、内蔵ウェブページコンテンツを呼び出す（工程２１４）。その後、内蔵ソフトウェア１３３が、ウェブブラウザ１３１へ上記コンテンツを転送する（工程２１６）。ここで、工程２１６は、ウェブブラウザ１３１にて実行中の任意のプロセスに割りこんで行なわれる。そして、ウェブブラウザ１３１が、コンテンツを表示する（工程２１８）。
【０１５７】
図２２に示す本発明の一部の実施形態は、ＭＦＰ（画像処理装置１３９）のウェブサービス１３３（内蔵アプリケーション１３３）を含んでいる。ウェブサービス１３３は、サーバ”Ａ”１３５、１３８に対して、所定の状態を通知する（工程２２２）。サーバ”Ａ”は、例えばＵＲＬなどのリソース識別子をウェブサービス１３３へ伝送して、ウェブサービス１３３のウェブサービスメソッド表示画面を呼び出す（工程２２４）。次にウェブサービス１３３は、上記リソース識別子またはＵＲＬを、ウェブブラウザ１３１へ転送する（工程２２６）。そしてウェブブラウザ１３１は、例えばサーバ”Ｂ”１３４、１３７などの別個のデバイス上にある識別されたリソースへ接続して（工程２２７）、識別されたコンテンツを取り出す。そしてウェブブラウザ１３１は、識別されたコンテンツを表示する（工程２２８）。
【０１５８】
本明細書中において使用されている用語および表現は、内容を説明するためのものであって本発明の技術範囲を限定するものではない。また、これらの用語および表現は、図示および説明されている本発明の特徴あるいはその一部に関して差異をつけることを意図したものではない。つまり、本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１５９】
本発明は、例えば、通信機能を有するプリンタ、コピー機、スキャナ、ファックス等を備えた装置やシステムに適用することができる。
【図面の簡単な説明】
【０１６０】
【図１】遠隔演算装置に接続された画像処理装置を含む、本発明の一形態の図である。
【図２】画像処理装置用の典型的なユーザインターフェースを示す図である。
【図３】画像処理装置の一例を示す図である。
【図４】画像処理装置での処理の流れを示すフローチャートである。
【図５】画像処理装置でのマークアップ言語を用いた処理の流れを示すフローチャートである。
【図６】遠隔演算装置の一例を示す図である。
【図７】遠隔演算装置の構成要素を示すブロック図である。
【図８】遠隔演算装置での処理の流れを示すフローチャートである。
【図９】遠隔演算装置でのマークアップ言語を用いた処理の流れを示すフローチャートである。
【図１０】遠隔演算装置に接続される複数の画像処理装置を備えたシステムを示す図である。
【図１１】図１０に示されるシステムでの処理の流れを示すフローチャートである。
【図１２】複数の遠隔演算装置およびリンクされたリソースを含む、本発明の一実施形態の構成要素を示す図である。
【図１３】画像処理装置を動作させるためのシステム、特に、多機能周辺機器（ＭＦＰ）内のクライアントブラウザへコンテンツを送信するためのシステムを示す図である。
【図１４】内蔵ウェブコンテンツを呼び出す工程と、ウェブコンテンツをＭＦＰのブラウザへ転送する工程と、ウェブコンテンツを上記ＭＦＰのブラウザに表示する工程とを含んだ、一部の実施形態による方法の工程を示す図である。
【図１５】ウェブサービスを用いてウェブページのＵＲＬを呼び出す工程を含んだ、一部の実施形態による方法の工程を示す図である。
【図１６】内蔵ソフトウェアを用いてウェブページのＵＲＬを呼び出す工程を含んだ、一部の実施形態による方法の工程を示す図である。
【図１７】ウェブページのＵＲＬを呼び出す工程を含んだ、一部の実施形態による方法の工程を示す図である。
【図１８】所定の状態が発生したときに、ＭＦＰのウェブサービスによってサーバに通知する工程を含んだ、一部の実施形態による方法の工程を示す図である。
【図１９】エラー状態が発生したときに、ＭＦＰのウェブサービスによってサーバに通知する工程を含んだ、一部の実施形態による方法の工程を示す図である。
【図２０】ＭＦＰの所定の状態が発生したときに、ＭＦＰのウェブサービスによってサーバに通知する工程と、ウェブサービスを用いてウェブページのＵＲＬを呼び出す工程とを含んだ、別の実施形態による方法の工程を示す図である。
【図２１】ＭＦＰの所定の状態が発生したときに、ＭＦＰ内蔵ソフトウェアによってサーバに通知する工程を含んだ、一部の実施形態による方法の工程を示す図である。
【図２２】ＭＦＰの所定の状態が発生したときに、ＭＦＰのウェブサービスによってサーバ”Ａ”に通知する工程と、サーバ”Ｂ”を介してＵＲＬへ接続してウェブページを取り出す工程とを含んだ、一部の実施形態による方法の工程を示す図である。
【符号の説明】
【０１６１】
２  ＵＩパネル
４，３０（３０ａ〜３０ｄ），１２０，１３９  画像形成装置（ＩＤｅｖ）
６，６０，１２６ａ，１２６ｂ  遠隔演算装置（ＲＣＤ）
８  ＵＩ装置
１３０  ディスプレイ（表示部）
１３１  ウェブブラウザ（ブラウザ）
１３３  内蔵アプリケーション（ウェブサーバ）
１３４  サーバ（遠隔演算装置）
１３５  ローカルサーバ（遠隔演算装置）
１３７，１３８  リモートサーバ（遠隔演算装置）
【図２】
2007042098.tif 000007
【図３】
2007042098.tif 000008
【図４】
2007042098.tif 000009
【図５】
2007042098.tif 000010
【図６】
2007042098.tif 000011
【図７】
2007042098.tif 000012
【図８】
2007042098.tif 000013
【図９】
2007042098.tif 000014
【図１０】
2007042098.tif 000015
【図１１】
2007042098.tif 000016
【図１２】
2007042098.tif 000017
【図１３】
2007042098.tif 000018
【図１４】
2007042098.tif 000019
【図１５】
2007042098.tif 000020
【図１６】
2007042098.tif 000021
【図１７】
2007042098.tif 000022
【図１８】
2007042098.tif 000023
【図１９】
2007042098.tif 000024
【図２０】
2007042098.tif 000025
【図２１】
2007042098.tif 000026
【図２２】
2007042098.tif 000027
【図１】
2007042098.tif 000028